(57)【要約】【課題】遊技の興趣を向上させることができる遊技機を提供することである。【解決手段】識別情報の変動表示を行なうことが可能な遊技機であって、変動表示の停止時動作において、数字部９１１，９３１と、装飾部９１２，９３２とで動作量が異なる。このような構成によれば、識別情報部を動作させることにより、遊技の興趣を向上させることができる。さらに、第１動作態様と第２動作態様とで動作量が異なることにより、識別情報部と装飾部とが同化せず、識別情報部の視認性を確保することができる。【選択図】図２４
2019037498.tif 000002
【特許請求の範囲】
【請求項１】
識別情報の変動表示を行なうことが可能な遊技機であって、
識別情報の変動表示を制御する変動表示制御手段を備え、
識別情報は、少なくとも識別情報部と装飾部とを含み、
前記変動表示制御手段は、
識別情報を停止表示するときに、前記識別情報部を第１動作態様で動作させるとともに、前記装飾部を第２動作態様で動作させ、
前記第１動作態様と前記第２動作態様とでは、動作量が異なる、遊技機。
【発明の詳細な説明】
【技術分野】
【０００１】
本発明は、パチンコ遊技機等の遊技機に関し、特に、識別情報の変動表示を行なうことが可能な遊技機に関する。
【背景技術】
【０００２】
このような遊技機としては、識別情報（図柄）の変動表示を行なうことが可能なものがあった。このような遊技機としては、図柄よりなる識別情報部と、キャラクタよりなる装飾部とから構成されており、装飾部が動作しているような表示態様で表示するものがあった（特許文献１）。
【先行技術文献】
【特許文献】
【０００３】
【特許文献１】特開２００３−１２６４３３号公報
【発明の概要】
【発明が解決しようとする課題】
【０００４】
しかし、前述した特許文献１の遊技機では、識別情報部が動作しない表示態様で識別情報が表示されるため、遊技の興趣を向上させることができなくなるという問題があった。
【０００５】
本発明は、かかる実情に鑑み考え出されたものであり、その目的は、遊技の興趣を向上させることができる遊技機を提供することである。
【課題を解決するための手段】
【０００６】
（１）  識別情報（第１特別図柄、第２特別図柄、演出図柄等）の変動表示を行なうことが可能な遊技機（パチンコ遊技機１等）であって、
識別情報（図２４の左図柄９１０、中図柄９２０、右図柄９３０）の変動表示を制御する変動表示制御手段（演出制御用マイクロコンピュータ１００、図１３のＳ８０１〜Ｓ８０３等）を備え、
識別情報は、少なくとも識別情報部（図２４の数字部９１１，９２１，９３１等）と装飾部（図２４の装飾部９１２，９２２，９３２等）とを含み、
前記変動表示制御手段は、
識別情報を停止表示するときに、前記識別情報部を第１動作態様（図２４（Ｄ）の数字部９１１，９３１の破線矢印のように停止時図柄で仮停止後複数回揺れる停止時図柄動作をする等）で動作させるとともに、前記装飾部を第２動作態様（図２４（Ｄ）の装飾部９１２，９３２の破線矢印のように停止時ポーズで仮停止後複数回揺れる停止時装飾動作をする等）で動作させ、
前記第１動作態様と前記第２動作態様とでは、動作量が異なる（図２４（Ｄ）のように、数字部９１１，９３１と、装飾部９１２，９３２とで動作量が異なる）。
【０００７】
このような構成によれば、識別情報部を動作させることにより、遊技の興趣を向上させることができる。さらに、第１動作態様と第２動作態様とで動作量が異なることにより、識別情報部と装飾部とが同化せず、識別情報部の視認性を確保することができる。
【０００８】
（２）  前記（１）の遊技機において、
複数種類の識別情報（図１５の「１」〜「９」の演出図柄）を用いて変動表示が行なわれ（図２４（Ｂ）のような変動表示等）、
複数種類の識別情報のそれぞれに対応して複数種類の装飾部が設けられ（図１５のよう
に数字を構成する複数種類の数字「１」〜「９」のそれぞれに対応して、装飾部材を構成する複数種類のキャラクタ（Ａキャラクタ〜Ｉキャラクタ）が設けられている等）、
複数種類の識別情報のうち、第１識別情報（確変図柄等）と第２識別情報（非確変図柄等）とで識別情報に対応する前記装飾部の前記第２動作態様の動作量が異なる（図２３（Ａ）のように、「３」図柄のような確変大当り図柄と、「２」図柄のような通常大当り図柄とで、破線矢印のように、対応する装飾部９１２，９３２の揺れ動作の動作量が異なる）。
【０００９】
このような構成によれば、識別情報部に対応する装飾部の演出のバリエーションが豊富化でき、さらに、装飾部と識別情報部との対応関係の認識を容易化することができる。
【００１０】
（３）  前記（１）または（２）の遊技機において、
複数種類の識別情報（図１５の「１」〜「９」の演出図柄）を用いて変動表示が行なわれ（図２４（Ｂ）のような変動表示等）、
変動表示結果として表示された識別情報の種類に応じて、遊技者にとっての有利度が異なり（図１５（Ａ），（Ｂ）と図１５（Ｃ）〜（Ｆ）とを比較して、「７」図柄と「７」以外の図柄とが、大当りとなるときとはずれとなるときとで選択される割合が異なるというように、有利度が異なる等）、
特定の有利度の識別情報（「７」図柄）は、当該特定の有利度以外の有利度の識別情報（「７」以外の図柄）と比べて、前記第２動作態様の動作量が多い（図２６（Ａ），（Ｂ）のように、「７」図柄と、「７」以外の図柄とで、破線矢印のように、装飾部９１２，９３２の動作量が多い等）。
【００１１】
このような構成によれば、第２動作態様の動作量が多くなることに基づいて、遊技者に高揚感を与えることができる。
【００１２】
（４）  前記（１）から（３）のいずれかの遊技機において、
複数種類の識別情報（図１５の「１」〜「９」の演出図柄）を用いて変動表示が行なわれ（図２４（Ｂ）のような変動表示等）、
複数種類の識別情報は、特殊識別情報（図２３（Ａ）の擬似連図柄９２３等）を含み、
特殊識別情報は、特殊識別情報以外の識別情報（数字部および装飾部を有する演出図柄）と比べて動作量が多い（擬似連図柄９２３は、図２３（Ａ）の状態から図２３（Ｂ）の状態まで拡大動作してフェードアウトする表示がされ、その動作量が、他の演出図柄よりも多い等）。
【００１３】
このような構成によれば、特殊識別情報が表示されたときに、遊技者にアピールすることができる。
【００１４】
（５）  前記（１）から（４）のいずれかの遊技機において、
複数種類の識別情報（図１５の「１」〜「９」の演出図柄）を用いて変動表示が行なわれ（図２４（Ｂ）のような変動表示等）、
少なくとも１の識別情報は、前記第２動作態様を複数種類の動作態様のうちから選択して実行可能である（各演出図柄が演出モードに応じて装飾部の動作態様を選択して実行する変形例等作）。
【００１５】
このような構成によれば、演出の面白みが向上し、遊技の興趣を向上させることができる。
【００１６】
（６）  前記（１）から（５）のいずれかの遊技機において、
所定の演出表示を動作させる特定演出を実行可能であり、前記特定演出において、前記
表示結果を構成する少なくとも１の識別情報を前記所定の演出表示に重畳して表示することにより、前記有利状態に制御されるか否かを報知可能な報知手段（演出制御用マイクロコンピュータ１００の報知機能等）を備え、
前記重畳して表示した識別情報を、前記所定の演出表示を視認可能な透過度である第１態様から前記第１態様よりも透過度の低い第２態様へ変化させる（たとえば、図２８のように特定演出において重畳させて表示する演出図柄越しに演出表示が視認可能となるよう、演出図柄を透過させて表示した後、不透過とし、変動表示結果が「大当り」となるか否かを報知する等）。
【００１７】
このような構成によれば、重畳して表示された画像同士の関連性を高め、遊技興趣を向上させることができる。
【図面の簡単な説明】
【００１８】
【図１】パチンコ遊技機を正面からみた正面図である。
【図２】当り種別表を示す図である。
【図３】主基板（遊技制御基板）における回路構成の一例を示すブロック図である。
【図４】各乱数を示す説明図である。
【図５】大当り判定テーブルおよび大当り種別判定テーブルを示す説明図である。
【図６】演出制御コマンドの内容の一例を示す説明図である。
【図７】遊技制御用マイクロコンピュータにおける保留記憶バッファの構成例を示す説明図である。
【図８】タイマ割込処理を示すフローチャートである。
【図９】特別図柄プロセス処理を示すフローチャートである。
【図１０】始動口スイッチ通過処理を示すフローチャートである。
【図１１】特別図柄通常処理を示すフローチャートである。
【図１２】演出制御メイン処理を示すフローチャートである。
【図１３】演出制御プロセス処理を示すフローチャートである。
【図１４】演出制御用マイクロコンピュータで用いる乱数を示す図である。
【図１５】変動表示における演出図柄の停止図柄の画像を選択決定する図柄画像選択テーブルを示す説明図である。
【図１６】演出図柄変動開始処理を示すフローチャートである。
【図１７】第１停止時演出制御例を示す演出表示装置９の表示画面図である。
【図１８】第１停止時演出制御における各演出図柄の数字部と装飾部との表示態様を比較して示すタイミングチャートである。
【図１９】停止時動作の演出制限制御例を示す図である。
【図２０】第２停止時演出制御例を示す演出表示装置の表示画面図である。
【図２１】第２停止時演出制御における各演出図柄の数字部と装飾部との表示態様を比較して示すタイミングチャートである。
【図２２】停止時動作時の演出図柄種類による動作量制御例を示す演出表示装置９の表示画面図である。
【図２３】特殊図柄による動作量制御例を示す演出表示装置の表示画面図である。
【図２４】第３停止時演出制御例を示す演出表示装置の表示画面図である。
【図２５】第３停止時演出制御における各演出図柄の数字部と装飾部との表示態様を比較して示すタイミングチャートである。
【図２６】停止時動作時の演出図柄種類による動作量制御例を示す演出表示装置９の表示画面図である。
【図２７】特定演出が実行される場合におけるタイミングチャートである。
【図２８】特定演出が実行された場合における演出動作例を示す図である。
【発明を実施するための形態】
【００１９】
以下、本発明の実施の形態を、図面を参照して説明する。なお、遊技機の一例としてパチンコ遊技機を示すが、本発明はパチンコ遊技機に限られず、コイン遊技機、スロットマシン等のその他の遊技機であってもよく、識別情報の変動表示を行なうことが可能な遊技機であれば、どのような遊技機であってもよい。
【００２０】
以下、本発明の実施の形態を、図面を参照して説明する。まず、遊技機の一例であるパチンコ遊技機１の全体の構成について説明する。図１はパチンコ遊技機１を正面からみた正面図である。図２は当り種別表である。
【００２１】
パチンコ遊技機１は、遊技媒体としての遊技球を遊技領域７に打込んで遊技が行なわれる遊技機である。パチンコ遊技機１は、縦長の方形状に形成された外枠（図示せず）と、外枠の内側に開閉可能に取付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取付けられる機構板（図示せず）と、それらに取付けられる種々の部品（後述する遊技盤６を除く）とを含む構造体である。パチンコ遊技機１では、遊技媒体としての遊技球を遊技領域に打込んで遊技が行なわれる。
【００２２】
ガラス扉枠２の下部表面には打球供給皿（上皿）３がある。打球供給皿３の下部には、打球供給皿３に収容しきれない遊技球を貯留する余剰球受皿４、および、打球を発射する打球操作ハンドル（操作ノブ）５等が設けられている。また、ガラス扉枠２の背面には、遊技盤６が着脱可能に取付けられている。遊技盤６は、それを構成する板状体と、その板状体に取付けられた種々の部品とを含む構造体である。また、遊技盤６の前面には、打込まれた遊技球が流下可能な遊技領域７が形成されている。
【００２３】
余剰球受皿（下皿）４を形成する部材には、たとえば下皿本体の上面における手前側の所定位置（たとえば下皿の中央部分）等に、スティック形状（棒形状）に構成され、遊技者が把持して複数方向（前後左右）に傾倒する操作が可能なスティックコントローラ１２２が取付けられている。なお、スティックコントローラ１２２には、遊技者がスティックコントローラ１２２の操作桿を操作手（たとえば左手等）で把持した状態において、所定の操作指（たとえば人差し指等）で押引操作すること等により所定の指示操作が可能なトリガボタン１２５（図３参照）が設けられ、スティックコントローラ１２２の操作桿の内部には、トリガボタン１２５に対する押引操作等による所定の指示操作を検知するトリガセンサ１２１（図３参照）が内蔵されている。また、スティックコントローラ１２２の下部における下皿の本体内部等には、操作桿に対する傾倒操作を検知する傾倒方向センサユニット１２３（図３参照）が設けられている。また、スティックコントローラ１２２には、スティックコントローラ１２２を振動動作させるためのバイブレータ用モータ１２６（図３参照）が内蔵されている。
【００２４】
打球供給皿（上皿）３を形成する部材には、たとえば上皿本体の上面における手前側の所定位置（たとえばスティックコントローラ１２２の上方）等に、遊技者が押下操作等により所定の指示操作を可能なプッシュボタン１２０が設けられている。プッシュボタン１２０は、遊技者からの押下操作等による所定の指示操作を、機械的、電気的、あるいは、電磁的に、検出できるように構成されていればよい。プッシュボタン１２０の設置位置における上皿の本体内部等には、プッシュボタン１２０に対してなされた遊技者の操作行為を検知するプッシュセンサ１２４（図３参照）が設けられていればよい。図１に示す構成例では、プッシュボタン１２０とスティックコントローラ１２２の取付位置が、上皿及び下皿の中央部分において上下の位置関係にある。これに対して、上下の位置関係を保ったまま、プッシュボタン１２０及びスティックコントローラ１２２の取付位置を、上皿及び下皿において左右のいずれかに寄せた位置としてもよい。あるいは、プッシュボタン１２
０とスティックコントローラ１２２との取付位置が上下の位置関係にはなく、たとえば左右の位置関係にあるものとしてもよい。なお、操作手段としては、レバースイッチ、および、ジョグダイヤル等のその他の操作手段を設けてもよい。
【００２５】
遊技領域７の中央付近には、各々を識別可能な複数種類の識別情報としての演出図柄を変動表示（可変表示ともいう）可能な第１表示手段としての演出表示装置９が設けられている。遊技領域７における演出表示装置９の右側方には、各々を識別可能な複数種類の識別情報としての第１特別図柄を変動表示する第１特別図柄表示器（第１変動表示部）８ａと、各々を識別可能な複数種類の識別情報としての第２特別図柄を変動表示する第２特別図柄表示器（第２変動表示部）８ｂとが設けられている。
【００２６】
第１特別図柄表示器８ａおよび第２特別図柄表示器８ｂのそれぞれは、数字および文字を変動表示可能な簡易で小型の表示器（たとえば７セグメントＬＥＤ）で構成されている。演出表示装置９は、液晶表示装置（ＬＣＤ）で構成されており、表示画面において、第１特別図柄または第２特別図柄の変動表示に同期した演出図柄の変動表示を行なう演出図柄表示領域が設けられる。演出図柄表示領域には、たとえば左，中，右の３つの装飾用（演出用）の演出図柄を変動表示する図柄表示エリア（以下、図柄表示領域という）が形成される。
【００２７】
以下、第１特別図柄と第２特別図柄とを特別図柄と総称することがあり、第１特別図柄表示器８ａと第２特別図柄表示器８ｂとを特別図柄表示器（変動表示部）と総称することがある。
【００２８】
なお、この実施の形態では、２つの特別図柄表示器８ａ，８ｂを備える場合を示しているが、遊技機は、特別図柄表示器を１つのみ備えるものであってもよい。
【００２９】
第１特別図柄表示器８ａおよび第２特別図柄表示器８ｂのそれぞれは、主基板（遊技制御基板）に搭載されている遊技制御用マイクロコンピュータによって制御される。演出表示装置９は、演出制御基板に搭載されている演出制御用マイクロコンピュータによって制御される。第１特別図柄表示器８ａで第１特別図柄の変動表示が実行されているときに、その変動表示に伴なって演出表示装置９で演出表示が実行され、第２特別図柄表示器８ｂで第２特別図柄の変動表示が実行されているときに、その変動表示に伴なって演出表示装置９で演出表示が実行されるので、遊技の進行状況を把握しやすくすることができる。
【００３０】
より具体的には、第１特別図柄または第２特別図柄の変動表示は、変動表示の実行条件である第１始動条件または第２始動条件が成立（たとえば、遊技球が第１始動入賞口１３または第２始動入賞口１４を通過（入賞を含む）したこと）した後、変動表示の開始条件（たとえば、保留記憶数が０でない場合であって、第１特別図柄および第２特別図柄の変動表示が実行されていない状態であり、かつ、大当り遊技が実行されていない状態）が成立したことに基づいて開始され、変動表示時間（変動時間）が経過すると表示結果（停止図柄）を導出表示する。なお、遊技球が通過するとは、入賞口やゲート等の予め入賞領域として定められている領域を遊技球が通過したことであり、入賞口に遊技球が入った（入賞した）ことを含む概念である。また、表示結果を導出表示するとは、図柄（識別情報の例）を最終的に停止表示させることである。
【００３１】
第１特別図柄表示器８ａに特定表示結果としての大当り表示結果（大当り図柄）が導出表示されたとき、または、第２特別図柄表示器８ｂに特定表示結果としての大当り表示結果（大当り図柄）が導出表示されたときには、演出表示装置９においても、特定表示結果としての大当り表示結果（大当り図柄の組合せ）が導出表示される。このように変動表示の表示結果として特定表示結果が表示されたときには、遊技者にとって有利な価値（有利
価値）が付与される有利状態としての特定遊技状態（大当り遊技状態）に制御される。
【００３２】
また、演出表示装置９において、最終停止図柄（たとえば左右中図柄のうち中図柄）となる図柄以外の図柄が、所定時間継続して、大当り図柄（たとえば左中右の図柄が同じ図柄で揃った図柄の組合せ）と一致している状態で停止、揺動、拡大縮小もしくは変形している状態、または、複数の図柄が同一図柄で同期して変動表示したり、表示図柄の位置が入れ替わっていたりして、最終結果が表示される前で大当り発生の可能性が継続している状態（以下、これら状態をリーチ状態という。）で行なわれる演出をリーチ演出という。
【００３３】
ここで、リーチ状態は、演出表示装置９の表示領域において停止表示された演出図柄が大当り組合せの一部を構成しているときに未だ停止表示されていない演出図柄の変動表示が継続している表示状態、または、全部もしくは一部の演出図柄が大当り組合せの全部または一部を構成しながら同期して変動表示している表示状態である。言い換えると、リーチとは、複数の変動表示領域において識別情報が特定表示結果を構成しているが少なくとも一部の変動表示領域が変動表示中である状態をいう。この実施形態において、リーチ状態は、たとえば、左，右の図柄表示エリアで同じ図柄が停止し、中の図柄表示エリアで図柄が停止していない状態で形成される。リーチ状態が形成されるときの左，右の図柄表示エリアで停止された図柄は、リーチ形成図柄、または、リーチ図柄と呼ばれる。
【００３４】
そして、リーチ状態における表示演出が、リーチ演出表示（リーチ演出）である。また、リーチの際に、通常と異なる演出がランプや音で行なわれることがある。この演出をリーチ演出という。また、リーチの際に、キャラクタ（人物等を模した演出表示であり、図柄（演出図柄等）とは異なるもの）を表示させたり、演出表示装置９の背景画像の表示態様（たとえば、色等）を変化させたりすることがある。このキャラクタの表示や背景の表示態様の変化をリーチ演出表示という。また、リーチの中には、それが出現すると、通常のリーチに比べて、大当りが発生しやすいように設定されたものがある。このような特別のリーチをスーパーリーチという。
【００３５】
演出表示装置９の下方には、第１始動入賞口１３を有する入賞装置が設けられている。第１始動入賞口１３に入賞した遊技球は、遊技盤６の背面に導かれ、第１始動口スイッチ１３ａによって検出される。
【００３６】
また、第１始動入賞口（第１始動口）１３を有する入賞装置の下方には、遊技球が入賞可能な第２始動入賞口１４を有する可変入賞球装置１５が設けられている。第２始動入賞口（第２始動口）１４に入賞した遊技球は、遊技盤６の背面に導かれ、第２始動口スイッチ１４ａによって検出される。可変入賞球装置１５は、ソレノイド１６によって開状態とされる。可変入賞球装置１５が開状態になることによって、遊技球が第２始動入賞口１４に入賞可能になり（始動入賞し易くなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。したがって、可変入賞球装置１５が閉状態になっている状態では、第２始動入賞口１４よりも、第１始動入賞口１３に遊技球が入賞しやすい。なお、可変入賞球装置１５が閉状態になっている状態において、入賞はしづらいものの、入賞することは可能である（すなわち、遊技球が入賞しにくい）ように構成されていてもよい。以下、第１始動入賞口１３と第２始動入賞口１４とを総称して始動入賞口または始動口ということがある。
【００３７】
第２特別図柄表示器８ｂの上方には、第２始動入賞口１４に入った有効入賞球数すなわち第２保留記憶数を表示する４つの表示器からなる第２特別図柄保留記憶表示器１８ｂが設けられている。第２特別図柄保留記憶表示器１８ｂは、有効始動入賞がある毎に、点灯
する表示器の数を１増やす。そして、第２特別図柄表示器８ｂでの変動表示が開始される毎に、点灯する表示器の数を１減らす。
【００３８】
また、第２特別図柄保留記憶表示器１８ｂのさらに上方には、第１始動入賞口１３に入った有効入賞球数すなわち第１保留記憶数（保留記憶を、始動記憶または始動入賞記憶ともいう。）を表示する４つの表示器からなる第１特別図柄保留記憶表示器１８ａが設けられている。第１特別図柄保留記憶表示器１８ａは、有効始動入賞がある毎に、点灯する表示器の数を１増やす。そして、第１特別図柄表示器８ａでの変動表示が開始される毎に、点灯する表示器の数を１減らす。
【００３９】
遊技機には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３に入り第１始動口スイッチ１３ａで検出されると、第１特別図柄の変動表示を開始できる状態であれば（たとえば、特別図柄の変動表示が終了し、第１の開始条件が成立したこと）、第１特別図柄表示器８ａにおいて第１特別図柄の変動表示（変動）が開始されるとともに、演出表示装置９において演出図柄の変動表示が開始される。すなわち、第１特別図柄および演出図柄の変動表示は、第１始動入賞口１３への入賞に対応する。第１特別図柄の変動表示を開始できる状態でなければ、第１保留記憶数が上限値に達していないことを条件として、第１保留記憶数を１増やす。
【００４０】
遊技球が第２始動入賞口１４に入り第２始動口スイッチ１４ａで検出されると、第２特別図柄の変動表示を開始できる状態であれば（たとえば、特別図柄の変動表示が終了し、第２の開始条件が成立したこと）、第２特別図柄表示器８ｂにおいて第２特別図柄の変動表示（変動）が開始されるとともに、演出表示装置９において演出図柄の変動表示が開始される。すなわち、第２特別図柄および演出図柄の変動表示は、第２始動入賞口１４への入賞に対応する。第２特別図柄の変動表示を開始できる状態でなければ、第２保留記憶数が上限値に達していないことを条件として、第２保留記憶数を１増やす。
【００４１】
演出表示装置９は、第１特別図柄表示器８ａによる第１特別図柄の変動表示時間中、および第２特別図柄表示器８ｂによる第２特別図柄の変動表示時間中に、装飾用（演出用）の図柄としての演出図柄の変動表示を行なう。第１特別図柄表示器８ａにおける第１特別図柄の変動表示と、演出表示装置９における演出図柄の変動表示とは同期している。また、第２特別図柄表示器８ｂにおける第２特別図柄の変動表示と、演出表示装置９における演出図柄の変動表示とは同期している。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組合せが停止表示される。
【００４２】
また、演出表示装置９の表示画面における下部の位置には、第１保留記憶数と第２保留記憶数との合計数（合算保留記憶数）を表示する保留記憶表示部（合算保留記憶表示部、保留表示エリア、図示せず）が設けられる。合算保留記憶表示部では、保留記憶表示として保留記憶数をたとえば所定画像の表示個数により特定可能な保留記憶画像（保留記憶情報のそれぞれに対応して１つずつ保留記憶画像を表示することにより、保留記憶数を特定する。）が表示される。このように、合計数を表示する合算保留記憶表示部が設けられていることによって、変動表示の開始条件が成立していない実行条件の成立数の合計を把握しやすくすることができる。第１特別図柄保留記憶表示器１８ａ、第２特別図柄保留記憶表示器１８ｂ、および、演出表示装置９のそれぞれにおいて、保留記憶数を示すための発光表示および画像表示は、保留表示、または、保留記憶表示と呼ばれる。
【００４３】
また、図１に示すように、可変入賞球装置１５の下方には、特別可変入賞球装置２０が設けられている。特別可変入賞球装置２０は開閉板を備え、第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３で検出される。
【００４４】
大当り遊技状態においては、特別可変入賞球装置２０が開放状態と閉鎖状態とを繰返す繰返し継続制御が行なわれる。繰返し継続制御において、特別可変入賞球装置２０が開放されている状態が、ラウンドと呼ばれる。これにより、繰返し継続制御は、ラウンド制御とも呼ばれる。本実施の形態では、大当りの種別が複数設けられており、大当りとすることが決定されたときには、いずれかの大当り種別が選択される。
【００４５】
演出表示装置９の左方には、各々を識別可能な普通図柄を変動表示する普通図柄表示器１０が設けられている。この実施の形態では、普通図柄表示器１０は、０〜９の数字を変動表示可能な簡易で小型の表示器（たとえば７セグメントＬＥＤ）で実現されている。すなわち、普通図柄表示器１０は、０〜９の数字（または、記号）を変動表示するように構成されている。また、小型の表示器は、たとえば方形状に形成されている。
【００４６】
遊技球がゲート３２を通過しゲートスイッチ３２ａで検出されると、普通図柄表示器１０の表示の変動表示が開始される。そして、普通図柄表示器１０における停止図柄が所定の図柄（当り図柄。たとえば、図柄「７」。）である場合に、可変入賞球装置１５が所定回数、所定時間だけ遊技者にとって不利な閉状態から遊技者にとって有利な開状態に変化する。普通図柄表示器１０の近傍には、ゲート３２を通過した入賞球数を表示する４つのＬＥＤによる表示部を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯するＬＥＤを１増やす。そして、普通図柄表示器１０の変動表示が開始される毎に、点灯するＬＥＤを１減らす。
【００４７】
演出表示装置９の上方には、可動体としての役物１２が設けられている。役物１２は、遊技盤６と演出表示装置９との間に位置し、駆動源としての役物モータ１７によって動作させられ、位置を変位することが可能である。役物１２は、非動作時に遊技者から視認し難い場所に位置し、所定の演出が実行される等の動作時に遊技者から視認可能な位置（たとえば、演出表示装置９の前方の位置）に移動する。
【００４８】
遊技盤６の下部には、入賞しなかった打球が取込まれるアウト口２６がある。また、遊技領域７の外側の左右上部および左右下部には、所定の音声出力として効果音や音声を発声する４つのスピーカ２７が設けられている。遊技領域７の外周には、前面枠に設けられた枠ＬＥＤ２８が設けられている。
【００４９】
また、プリペイドカードが挿入されることによって球貸しを可能にするプリペイドカードユニット（以下、単に「カードユニット」ともいう。）が、パチンコ遊技機１に隣接して設置される（図示せず）。
【００５０】
図２の当り種別表においては、大当りにおける当りの種別ごとに、大当り遊技状態の終了後の大当り確率、大当り遊技状態の終了後のベース、大当り遊技状態終了後の変動時間、大当りにおける開放回数（ラウンド数）、および、各ラウンドの開放時間が示されている。
【００５１】
具体的に、大当り遊技状態においては、特別可変入賞球装置２０が、開放状態とされた後、所定の開放状態の終了条件（開放状態において所定期間（たとえば２９秒間）が経過したこと、または、所定個数（たとえば１０個）の入賞球が発生したという開放終了条件）が成立したことに応じて閉鎖状態とされる。そして、開放終了条件が成立すると、継続権が発生し、特別可変入賞球装置２０の開放が再度行なわれる。継続権の発生は、大当り遊技状態における開放回数が予め定められた上限値となる１５ラウンド（最終ラウンド）に達するまで繰返される。
【００５２】
「大当り」のうち、大当り遊技状態に制御された後、特別遊技状態として、通常状態（確変状態でない通常の遊技状態）に比べて大当りとすることに決定される確率が高い状態である確変状態（確率変動状態の略語であり、高確率状態ともいう）に移行する大当りの種類（種別）は、「確変大当り」と呼ばれる。また、本実施の形態では、特別遊技状態としては、確変状態に付随して、特別図柄や演出図柄の変動時間（変動表示期間）が非時短状態よりも短縮される時短状態に制御される場合がある。なお、特別遊技状態としては、確変状態とは独立して時短状態に制御される場合があるようにしてもよい。
【００５３】
このように、時短状態に移行することによって、特別図柄や演出図柄の変動時間が短縮されるので、時短状態となったときには、有効な始動入賞が発生しやすくなり大当り遊技が行なわれる可能性が高まる。なお、「大当り」のうち、１５ラウンドの大当り遊技状態に制御された後、確変状態に移行しない大当りの種類（種別）は、「通常大当り」と呼ばれる。
【００５４】
また、特別遊技状態としては、確変状態または時短状態に付随して、可変入賞球装置１５が開状態になる頻度を高くすることにより可変入賞球装置１５に遊技球が進入する頻度を高くして可変入賞球装置１５への入賞を容易化（高進入化、高頻度化）する電チューサポート制御状態に制御される場合がある。電チューサポート制御状態は、後述するように高ベース状態であるので、以下の説明においては、主として高ベース状態と呼ぶ。
【００５５】
ここで、電チューサポート制御について説明する。電チューサポート制御としては、普通図柄の変動時間（変動表示開始時から表示結果の導出表示時までの時間）を短縮して早期に表示結果を導出表示させる制御（普通図柄短縮制御）、普通図柄の停止図柄が当り図柄になる確率を高める制御（普通図柄確変制御）、可変入賞球装置１５の開放時間を長くする制御（開放時間延長制御）、および、可変入賞球装置１５の開放回数を増加させる制御（開放回数増加制御）が行なわれる。このような制御が行なわれると、当該制御が行なわれていないときと比べて、可変入賞球装置１５が開状態となっている時間比率が高くなるので、第２始動入賞口１４への入賞頻度が高まり、遊技球が始動入賞しやすくなる（特別図柄表示器８ａ，８ｂや演出表示装置９における変動表示の実行条件が成立しやすくなる）。この制御によって第２始動入賞口１４への入賞頻度が高まることにより、第２始動条件の成立頻度および／または第２特別図柄の変動表示の実行頻度が高まる遊技状態となる。
【００５６】
電チューサポート制御により第２始動入賞口１４への入賞頻度が高められた状態（高頻度状態）は、発射球数に対して入賞に応じて賞球として払出される遊技球数の割合である「ベース」が、当該制御が行なわれないときと比べて、高い状態であるので、「高ベース状態」と呼ばれる。また、このような制御が行なわれないときは、「低ベース状態」と呼ばれる。また、このような制御は、可変入賞球装置１５、すなわち、電動チューリップにより入賞をサポートすることにより可変入賞球装置１５への入賞を容易化する制御であり、「電チューサポート制御」と呼ばれる。
【００５７】
この実施の形態においては、大当り確率の状態を示す用語として、「高確率状態（確変状態）」と、「低確率状態（非確変状態）」とを用い、ベースの状態の組合せを示す用語として、「高ベース状態（電チューサポート制御状態）」と、「低ベース状態（非電チューサポート制御状態）」とを用いる。
【００５８】
また、この実施の形態においては、大当り確率の状態およびベースの状態の組合せを示す用語として、「低確低ベース状態」、「低確高ベース状態」、および、「高確高ベース状態」を用いる。「低確低ベース状態」とは、大当り確率の状態が低確率状態で、かつ、ベースの状態が低ベース状態であることを示す状態である。「低確高ベース状態」とは、大当り確率の状態が低確率状態で、かつ、ベースの状態が高ベース状態であることを示す状態である。「高確高ベース状態」とは、大当り確率の状態が高確率状態で、かつ、ベースの状態が高ベース状態であることを示す状態である。
【００５９】
図２に示すように、１５ラウンドの大当りとしては、通常大当りと確変大当りとの複数種類の大当りが設けられている。通常大当りは、１５ラウンドの大当り遊技状態の終了後に、非確変状態、時短状態、および、高ベース状態（低確高ベース状態）に制御される大当りである。通常大当りにおいては、非確変状態が次回の大当りが発生するまでの期間継続し、時短状態、および、高ベース状態が、変動表示が１００回という所定回数実行されるまでという条件と、次回の大当りが発生するまでという条件とのいずれか早い方の条件が成立するまでの期間継続する。なお、通常大当りは、非確変状態、非時短状態、および、非電チューサポート制御状態（低確低ベース状態）に制御される大当りとなるように制御するものであってもよい。
【００６０】
確変大当りは、１５ラウンドの大当り遊技状態の終了後に、確変状態、時短状態、および、高ベース状態（高確高ベース状態）に移行する制御が行なわれる大当りである。確変大当りにおいては、このような高確高ベース状態が、変動表示が１００回という所定回数実行されるまでという条件と、次回の大当りが発生するまでという条件とのいずれか早い方の条件が成立するまでの期間継続する。
【００６１】
図３は、主基板（遊技制御基板）および演出制御基板における回路構成の一例を示すブロック図である。なお、図３には、払出制御基板３７等も示されている。主基板３１には、プログラムにしたがってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムにしたがって制御動作を行なうＣＰＵ５６およびＩ／Ｏポート部５７を含む。遊技制御用マイクロコンピュータ５６０は、ＲＯＭ５４およびＲＡＭ５５が内蔵された１チップマイクロコンピュータである。遊技制御用マイクロコンピュータ５６０には、さらに、ハードウェア乱数（ハードウェア回路が発生する乱数）を発生する乱数回路５０３が内蔵されている。
【００６２】
また、ＲＡＭ５５は、その一部または全部が電源基板（図示省略）において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグ等）と未払出賞球数を示すデータは、バックアップＲＡＭに保存される。
【００６３】
なお、遊技制御用マイクロコンピュータ５６０においてＣＰＵ５６がＲＯＭ５４に格納されているプログラムにしたがって制御を実行するので、以下、遊技制御用マイクロコン
ピュータ５６０（またはＣＰＵ５６）が実行する（または、処理を行なう）ということは、具体的には、ＣＰＵ５６がプログラムにしたがって制御を実行することである。このことは、主基板３１以外の他の基板に搭載されているマイクロコンピュータについても同様である。
【００６４】
乱数回路５０３は、特別図柄の変動表示の表示結果により大当りとするか否か判定するための判定用の乱数を発生するために用いられるハードウェア回路である。乱数回路５０３は、初期値（たとえば、０）と上限値（たとえば、６５５３５）とが設定された数値範囲内で、数値データを、設定された更新規則にしたがって更新し、ランダムなタイミングで発生する始動入賞時が数値データの読出（抽出）時であることに基づいて、読出される数値データが乱数値となる乱数発生機能を有する。また、遊技制御用マイクロコンピュータ５６０は、乱数回路５０３が更新する数値データの初期値を設定する機能を有している。
【００６５】
また、ゲートスイッチ３２ａ、第１始動口スイッチ１３ａ、第２始動口スイッチ１４ａ、カウントスイッチ２３からの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令にしたがって駆動する出力回路５９も主基板３１に搭載されている。
【００６６】
また、遊技制御用マイクロコンピュータ５６０は、特別図柄を変動表示する第１特別図柄表示器８ａ、第２特別図柄表示器８ｂ、普通図柄を変動表示する普通図柄表示器１０、第１特別図柄保留記憶表示器１８ａ、第２特別図柄保留記憶表示器１８ｂおよび普通図柄保留記憶表示器４１の表示制御を行なう。
【００６７】
演出制御基板８０は、演出制御用マイクロコンピュータ１００、ＲＯＭ１０２、ＲＡＭ１０３、ＶＤＰ１０９、および、Ｉ／Ｏポート部１０５等を搭載している。ＲＯＭ１０２は、表示制御等の演出制御用のプログラムおよびデータ等を記憶する。ＲＡＭ１０３は、ワークメモリとして使用される。ＲＯＭ１０２およびＲＡＭ１０３は、演出制御用マイクロコンピュータ１００に内蔵されてもよい。ＶＤＰ１０９は、演出制御用マイクロコンピュータ１００と共動して演出表示装置９の表示制御を行なう。
【００６８】
演出制御用マイクロコンピュータ１００は、主基板３１から演出制御基板８０の方向への一方向にのみ信号を通過させる中継基板７７を介して、遊技制御用マイクロコンピュータ５６０から演出内容を指示する演出制御コマンドを受信し、演出表示装置９の変動表示制御を行なう他、ランプドライバ基板３５を介して、枠側に設けられている枠ＬＥＤ２８の表示制御を行なうとともに、音声出力基板７０を介してスピーカ２７からの音出力の制御を行なう等、各種の演出制御を行なう。
【００６９】
また、演出制御用ＣＰＵ１０１は、スティックコントローラ１２２のトリガボタン１２５に対する遊技者の操作行為を検出したことを示す情報信号としての操作検出信号を、トリガセンサ１２１から、Ｉ／Ｏポート部１０５の入力ポートを介して入力する。また、演出制御用ＣＰＵ１０１は、プッシュボタン１２０に対する遊技者の操作行為を検出したことを示す情報信号としての操作検出信号を、プッシュセンサ１２４から、Ｉ／Ｏポート部１０５の入力ポートを介して入力する。また、演出制御用ＣＰＵ１０１は、スティックコントローラ１２２の操作桿に対する遊技者の操作行為を検出したことを示す情報信号としての操作検出信号を、傾倒方向センサユニット１２３から、Ｉ／Ｏポート部１０５の入力ポートを介して入力する。また、演出制御用ＣＰＵ１０１は、Ｉ／Ｏポート部１０５の出力ポートを介してバイブレータ用モータ１２６に駆動信号を出力することにより、スティ
ックコントローラ１２２を振動動作させる。また、演出制御用ＣＰＵ１０１は、モータ駆動回路（図示省略）を介して役物モータ１７を駆動して役物１２を動作させる。
【００７０】
図４は、各乱数を示す説明図である。図４においては、乱数の種別、更新範囲、用途、および、加算条件が示されている。各乱数は、以下のように使用される。
【００７１】
（１）ランダムＲ：大当りにするか否かを判定する当り判定用のランダムカウンタである。ランダムＲは、１０ＭＨｚで１ずつ更新され、０から加算更新されてその上限である６５５３５まで加算更新された後再度０から加算更新される。（２）ランダム１（ＭＲ１）：大当りの種類（種別、通常大当り、および、確変大当りのいずれかの種別）および大当り図柄を決定する（大当り種別判定用、大当り図柄決定用）。（３）ランダム２（ＭＲ２）：変動パターンの種類（種別）を決定する（変動パターン種別判定用）。（４）ランダム３（ＭＲ３）：変動パターン（変動時間）を決定する（変動パターン判定用）。（５）ランダム４（ＭＲ４）：普通図柄に基づく当りを発生させるか否か決定する（普通図柄当り判定用）。（６）ランダム５（ＭＲ５）：ランダム４の初期値を決定する（ランダム４初期値決定用）。
【００７２】
この実施の形態では、特定遊技状態である大当りとして、通常大当り、および、確変大当りという複数の種別が含まれている。したがって、大当り判定用乱数（ランダムＲ）の値に基づいて、大当りとする決定がされたときには、大当り種別判定用乱数（ランダム１）の値に基づいて、大当りの種別が、これらいずれかの大当り種別に決定される。さらに、大当りの種別が決定されるときに、同時に大当り種別判定用乱数（ランダム１）の値に基づいて、大当り図柄も決定される。したがって、ランダム１は、大当り図柄決定用乱数でもある。
【００７３】
また、変動パターンは、まず、変動パターン種別判定用乱数（ランダム２）を用いて変動パターン種別を決定し、変動パターン判定用乱数（ランダム３）を用いて、決定した変動パターン種別に含まれるいずれかの変動パターンに決定する。そのように、この実施の形態では、２段階の抽選処理によって変動パターンが決定される。変動パターン種別とは、複数の変動パターンをその変動態様の特徴にしたがってグループ化したものである。変動パターン種別には、１または複数の変動パターンが属している。変動パターン種別は、変動種別と呼ばれる場合もある。
【００７４】
この実施の形態では、変動パターンが、リーチを伴なわない変動パターン種別である通常変動パターン種別と、リーチを伴なう変動パターン種別であるリーチ変動パターン種別とに種別分けされている。大当りとなるときには、はずれとなるときと比べ、リーチを伴なう変動パターン種別が選択される割合が高くなる。大当りとなるときには、はずれとなるときと比べ、スーパーリーチを伴なう変動パターン種別が選択される割合が高くなる。これにより、リーチを伴なう変動パターンで変動表示が実行されるときには、通常変動パターンで変動表示が実行されるときと比べて、大当りとなる期待度が高くなる。また、大当りとなるときには、はずれとなるときと比べ、スーパーリーチを伴なう変動パターン種別が選択される割合が高くなる。これにより、リーチを伴なう変動パターンのうち、スーパーリーチを伴なう変動パターンで変動表示が実行されるときには、ノーマルリーチで変動表示が実行されるときと比べて、大当りとなる期待度が高くなる。
【００７５】
このような変動パターン種別は、表示結果がはずれとなる場合に、時短状態であるときと、時短状態でないときとで、変動パターン種別の選択割合が異なるように設定されていることにより、時短状態であるときには、時短状態でないときと比べて、変動時間が短縮される。
【００７６】
なお、このような変動パターン種別は、変動表示をする各特別図柄の保留記憶数が所定数以上であるときと、所定数未満であるときとで選択割合が異なるように設定されることにより、変動表示をする各特別図柄の保留記憶数が所定数以上であるときには、各特別図柄の保留記憶数が所定数未満であるときと比べて、変動表示時間が短縮される保留数短縮制御を実行するようにしてもよい。
【００７７】
また、変動パターンは、変動パターン種別を決定してから変動パターンを決定する２段階の決定方法ではなく、１回の乱数抽選により変動パターンが決定される１段階の決定方法としてもよい。
【００７８】
図５は、大当り判定テーブルおよび大当り種別判定テーブルを示す説明図である。図５（Ａ）は、大当り判定テーブルを示す説明図である。大当り判定テーブルとは、ＲＯＭ５４に記憶されているデータの集まりであって、ランダムＲと比較される大当り判定値が設定されているテーブルである。大当り判定テーブルには、通常状態（確変状態でない遊技状態、すなわち非確変状態）において用いられる通常時（非確変時）大当り判定テーブルと、確変状態において用いられる確変時大当り判定テーブルとがある。
【００７９】
通常時大当り判定テーブルには、図５（Ａ）の左欄に記載されている各数値が大当り判定値として設定され、確変時大当り判定テーブルには、図５（Ａ）の右欄に記載されている各数値が大当り判定値として設定されている。確変時大当り判定テーブルに設定された大当り判定値は、通常時大当り判定テーブルに設定された大当り判定値と共通の大当り判定値（通常時大当り判定値または第１大当り判定値という）に、確変時固有の大当り判定値が加えられたことにより、確変時大当り判定テーブルよりも多い個数（１０倍の個数）の大当り判定値（確変時大当り判定値または第２大当り判定値という）が設定されている。これにより、確変状態には、通常状態よりも高い確率で大当りとする判定がなされる。
【００８０】
ＣＰＵ５６は、所定の時期に、乱数回路５０３のカウント値を抽出して抽出値を大当り判定用乱数（ランダムＲ）の値と比較するのであるが、大当り判定用乱数値が図５（Ａ）に示すいずれかの大当り判定値に一致すると、特別図柄に関して大当り（通常大当り、または、確変大当り）にすることに決定する。なお、図５（Ａ）に示す「確率」は、大当りになる確率（割合）を示す。
【００８１】
図５（Ｂ），（Ｃ）は、ＲＯＭ５４に記憶されている大当り種別判定テーブルを示す説明図である。図５（Ｂ）は、遊技球が第１始動入賞口１３に入賞したことに基づく保留記憶（第１保留記憶ともいう）を用いて大当り種別を決定する場合（第１特別図柄の変動表示が行なわれるとき）に用いる第１特別図柄大当り種別判定テーブル（第１特別図柄用）である。図５（Ｃ）は、遊技球が第２始動入賞口１４に入賞したことに基づく保留記憶（第２保留記憶ともいう）を用いて大当り種別を決定する場合（第２特別図柄の変動表示が行なわれるとき）に用いる第２特別図柄大当り種別判定テーブルである。
【００８２】
図５（Ｂ）、および、図５（Ｃ）の第１，第２特別図柄大当り種別判定テーブルのそれぞれは、変動表示結果を大当り図柄にする旨の判定がなされたときに、大当り種別判定用の乱数（ランダム１）に基づいて、大当りの種別を「通常大当り」と「確変大当り」とのうちのいずれかに決定するとともに、大当り図柄を決定するために参照される。
【００８３】
図５（Ｂ）の第１特別図柄大当り種別判定テーブルには、ランダム１の値と比較される数値であって、「通常大当り」、「確変大当り」のそれぞれに対応した判定値（大当り種別判定値）が設定されている。図５（Ｃ）の第２特別図柄大当り種別判定テーブルには、ランダム１の値と比較される数値であって、「通常大当り」、「確変大当り」のそれぞれに対応した判定値（大当り種別判定値）が設定されている。
【００８４】
また、図５（Ｂ），（Ｃ）に示すように、大当り種別判定値は、第１特別図柄および第２特別図柄の大当り図柄を決定する判定値（大当り図柄判定値）としても用いられる。「通常大当り」に対応した判定値は、第１特別図柄および第２特別図柄の大当り図柄の「３」に対応した判定値としても設定されている。「確変大当り」に対応した判定値は、第１特別図柄および第２特別図柄の大当り図柄の「７」に対応した判定値としても設定されている。
【００８５】
大当り種別判定テーブルを用いて、ＣＰＵ５６は、大当り種別として、ランダム１の値が一致した大当り種別判定値に対応する種別を決定するともに、大当り図柄として、ランダム１の値が一致した大当り図柄を決定する。これにより、大当り種別と、大当り種別に対応する大当り図柄とが同時に決定される。
【００８６】
図５（Ｂ）の第１特別図柄大当り種別判定テーブルと図５（Ｃ）の第２特別図柄大当り種別判定テーブルとは、確変大当りに決定される割合が同じである。このような場合には、第１特別図柄と第２特別図柄とで大当り種別判定テーブルを分けなくてもよい。また、大当り種別として、大当り遊技状態での最大ラウンド数が異なる複数種類の大当りのうちから大当り種別を選択するときには、図５（Ｃ）の第２特別図柄大当り種別判定テーブルの方が、図５（Ｂ）の第１特別図柄大当り種別判定テーブルよりも、ラウンド数が多い大当り種別が選択される割合が高くなるように設定してもよい。このようにすれば、高ベース状態において、大当りの種別選択が遊技者にとって有利となり、遊技の興趣を向上させることができる。また、図５（Ｃ）の第２特別図柄大当り種別判定テーブルの方が、図５（Ｂ）の第１特別図柄大当り種別判定テーブルよりも、確変大当りに決定される割合を高くしてもよい。そうすることにより、第２特別図柄の変動表示の方が、第１特別図柄の変動表示よりも、確変大当りとなる割合を高くすることができる。また、第１特別図柄大当り種別判定テーブルの方が、第２特別図柄大当り種別判定テーブルよりも、確変大当りに決定される割合が高くなるようにしてもよい。
【００８７】
図６は、遊技制御用マイクロコンピュータ５６０が送信する演出制御コマンドの内容の一例を示す説明図である。遊技制御用マイクロコンピュータ５６０においては、図６に示すように、遊技制御状態に応じて、各種の演出制御コマンドを演出制御用マイクロコンピュータ１００へ送信する。
【００８８】
図６のうち、主なコマンドを説明する。コマンド８０ＸＸ（Ｈ）は、特別図柄の変動表示に対応して演出表示装置９において変動表示される演出図柄の変動パターンを指定する演出制御コマンド（変動パターンコマンド）である（それぞれ変動パターンＸＸに対応）。つまり、使用され得る変動パターンのそれぞれに対して一意な番号を付した場合に、その番号で特定される変動パターンのそれぞれに対応する変動パターンコマンドがある。「（Ｈ）」は１６進数であることを示す。また、変動パターンを指定する演出制御コマンドは、変動開始を指定するためのコマンドでもある。したがって、演出制御用ＣＰＵ１０１は、コマンド８０ＸＸ（Ｈ）を受信すると、演出表示装置９において演出図柄の変動表示を開始するように制御する。
【００８９】
コマンド８Ｃ０１（Ｈ）〜８Ｃ０３（Ｈ）は、大当りとするか否か、および大当り種別を示す表示結果指定コマンドである。
【００９０】
コマンド８Ｄ０１（Ｈ）は、第１特別図柄の変動表示を開始することを示す第１図柄変動指定コマンドである。コマンド８Ｄ０２（Ｈ）は、第２特別図柄の変動表示を開始することを示す第２図柄変動指定コマンドである。コマンド８Ｆ００（Ｈ）は、第１，第２特別図柄の変動を終了することを指定するコマンド（図柄確定指定コマンド）である。
【００９１】
コマンドＡ００１〜Ａ００２（Ｈ）は、大当りの種別（通常大当り、または、確変大当り）ごとに大当り遊技状態開始を指定する大当り開始指定コマンドである。
【００９２】
コマンドＡ１ＸＸ（Ｈ）は、ＸＸで示す回数目（ラウンド）の大入賞口開放中の表示を示す大入賞口開放中指定コマンドである。Ａ２ＸＸ（Ｈ）は、ＸＸで示す回数目（ラウンド）の大入賞口開放後（閉鎖）を示す大入賞口開放後指定コマンドである。
【００９３】
コマンドＡ３０１〜Ａ３０２（Ｈ）は、大当りの種別（通常大当り、または、確変大当り）ごとに大当り遊技状態終了を指定する大当り終了指定コマンドである。
【００９４】
コマンドＡ４０１（Ｈ）は、第１始動入賞があったことを指定する第１始動入賞指定コマンドである。コマンドＡ４０２（Ｈ）は、第２始動入賞があったことを指定する第２始動入賞指定コマンドである。
【００９５】
コマンドＢ０００（Ｈ）は、遊技状態が通常状態（低確率状態）であることを指定する通常状態指定コマンドである。コマンドＢ００１（Ｈ）は、遊技状態が時短状態（高ベース状態）であることを指定する時短状態指定コマンドである。コマンドＢ００２（Ｈ）は、遊技状態が確変状態（高確率状態）であることを指定する確変状態指定コマンドである。
【００９６】
コマンドＣ０ＸＸ（Ｈ）は、合算保留記憶数を示す合算保留記憶数指定コマンドである。コマンドＣ１００（Ｈ）は、合算保留記憶数が１減算されることを示す合算保留記憶数減算指定コマンドである。この実施の形態では、合算保留記憶数指定コマンドは、第１始動入賞口１３または第２始動入賞口１４への遊技球の始動入賞時（たとえば、後述する始動口スイッチ通過処理の実行時）に、演出制御用マイクロコンピュータ１００に送られる（図１０のＳ１２２１、Ｓ１２３２参照）。また、合算保留記憶数減算指定コマンドは、変動表示開始時（たとえば、後述する特別図柄変動表示中処理の実行時）に演出制御用マイクロコンピュータ１００に送られる。なお、合算保留記憶指定コマンドおよび保留記憶数減算指定コマンドを兼用してもよい。たとえば、合算保留記憶数指定コマンドを、減算後の保留記憶数を特定可能なコマンドとして用いてもよい。なお、合算保留記憶数としてではなく、第１保留記憶数と第２保留記憶数とを特定可能なコマンドをそれぞれ送信し、演出制御用マイクロコンピュータ１００が第１保留記憶数と第２保留記憶数との合計値を合算保留記憶数として特定してもよい。
【００９７】
コマンドＣ２ＸＸ（Ｈ）およびコマンドＣ３ＸＸ（Ｈ）は、第１始動入賞口１３または第２始動入賞口１４への始動入賞時における大当り判定、大当り種別判定、変動パターン種別判定等の入賞時判定結果の内容を示す演出制御コマンドである。このうち、コマンドＣ２ＸＸ（Ｈ）は、入賞時判定結果のうち、大当りとなるか否か、および、大当りの種別の判定結果を示す図柄指定コマンドである。また、コマンドＣ３ＸＸ（Ｈ）は、入賞時判定結果のうち、変動パターン種別判定用乱数の値がいずれの判定値の範囲となるかの判定結果（変動パターン種別の判定結果）を示す変動種別コマンドである。
【００９８】
この実施の形態では、入賞時演出処理（図１０のＳ１２１７，Ｓ１２２８参照）において、遊技制御用マイクロコンピュータ５６０が、始動入賞時に、大当りとなるか否か、大当りの種別、変動パターン種別判定用乱数の値がいずれの判定値の範囲となるかを判定する。そして、図柄指定コマンドのＥＸＴデータに、大当りとなることを指定する値、および、大当りの種別を指定する値を設定し、演出制御用マイクロコンピュータ１００に送信する制御を行なう。変動種別コマンドのＥＸＴデータに変動パターン種別の判定結果としての判定値の範囲を指定する値を設定し、演出制御用マイクロコンピュータ１００に送信
する制御を行なう。この実施の形態では、演出制御用マイクロコンピュータ１００が、図柄指定コマンドに設定されている値に基づき、始動入賞時に、表示結果が大当りとなるか否か、および、大当りの種別を認識できるとともに、変動種別コマンドに基づき、変動パターン種別を認識できる。
【００９９】
図７は、遊技制御用マイクロコンピュータ５６０における保留記憶バッファの構成例を示す説明図である。
【０１００】
図７（Ａ）は、保留記憶特定情報記憶領域（保留特定領域）の構成例を示す説明図である。保留特定領域は、ＲＡＭ５５に形成（ＲＡＭ５５内の領域である）され、図７（Ａ）に示すように、合算保留記憶数を計数する合算保留記憶数カウンタの値の最大値（この例では８）に対応した領域が確保されている。図７（Ａ）には、合算保留記憶数カウンタの値が５である場合の例が示されている。
【０１０１】
図７（Ａ）に示すように、保留特定領域には、第１始動入賞口１３または第２始動入賞口１４への入賞に基づいて入賞順に「第１」または「第２」であることを示すデータがセットされる。したがって、保留特定領域には、第１始動入賞口１３および第２始動入賞口１４への入賞順を特定可能なデータが記憶される。なお、保留特定領域は、ＲＡＭ５５に形成されている。
【０１０２】
図７（Ｂ）は、保留記憶に対応する乱数等を保存する保存領域（保留記憶バッファ）の構成例を示す説明図である。図７（Ｂ）に示すように、第１保留記憶バッファには、第１保留記憶数の上限値（この例では４）に対応した保存領域が確保されている。また、第２保留記憶バッファには、第２保留記憶数の上限値（この例では４）に対応した保存領域が確保されている。第１保留記憶バッファおよび第２保留記憶バッファは、ＲＡＭ５５に形成されている。第１保留記憶バッファおよび第２保留記憶バッファには、ハードウェア乱数である大当り判定用乱数（ランダムＲ）、および、ソフトウェア乱数である大当り種別決定用乱数（ランダム１）、変動パターン種別判定用乱数（ランダム２）、および、変動パターン判定用乱数（ランダム３）が記憶される。
【０１０３】
第１始動入賞口１３または第２始動入賞口１４への入賞に基づいて、ＣＰＵ５６は、乱数回路５０３およびソフトウェア乱数を生成するためのランダムカウンタからこのような乱数値を抽出し、それらを、第１保留記憶バッファまたは第２保留記憶バッファにおける保存領域に保存（格納）する処理を実行する。具体的に、第１始動入賞口１３への入賞に基づいて、これら乱数値が抽出されて第１保留記憶バッファに保存される。また、第２始動入賞口１４への入賞に基づいて、これら乱数値が抽出されて第２保留記憶バッファに保存される。
【０１０４】
このように第１保留記憶バッファまたは第２保留記憶バッファに前述のような始動入賞に関する情報が記憶されることを「保留記憶される」と示す場合がある。また、第１保留記憶バッファに記憶される数値データを第１保留記憶情報と呼び、第２保留記憶バッファに記憶される数値データを第２保留記憶情報と呼ぶ場合がある。なお、変動パターン種別判定用乱数（ランダム２）および変動パターン判定用乱数（ランダム３）は、始動入賞時において抽出して保存領域に予め格納しておくのではなく、後述する変動パターン設定処理（特別図柄の変動開始時）に抽出するようにしてもよい。
【０１０５】
このように保留特定領域および保存領域に記憶されたデータは、変動表示開始時に読出されて変動表示のために用いられる。なお、保留特定領域および保存領域に記憶されたデータを始動入賞時に読出して、変動表示結果が「大当り」となる可能性などが予告される対象となる変動表示を開始するより前に、特別図柄の変動表示の保留情報などに基づいて
実行可能となる先読み予告演出に用いてもよい。
【０１０６】
第１始動入賞口１３または第２始動入賞口１４への始動入賞があったときには、図柄指定コマンド、変動種別コマンド、合算保留記憶数指定コマンド等のコマンドが主基板３１から演出制御基板８０へと送信される。演出制御用マイクロコンピュータ１００のＲＡＭ１０３に設けられた始動入賞時受信コマンドバッファには、受信した図柄指定コマンド、変動種別コマンド、合算保留記憶数指定コマンド等の各種コマンドを対応付けて格納できるように、受信したコマンドを特定可能なデータを記憶する記憶領域が確保されている。
【０１０７】
この実施の形態において、第１特別図柄および第２特別図柄の変動表示に対応して行なわれる演出図柄の演出制御パターンは、複数種類の変動パターンに対応して、演出図柄の変動表示動作、リーチ演出等における演出表示動作、あるいは、演出図柄の変動表示を伴わない各種の演出動作というような、様々な演出動作の制御内容を示すデータ等から構成されている。また、予告演出制御パターンは、予め複数パターンが用意された予告パターンに対応して実行される予告演出となる演出動作の制御内容を示すデータ等から構成されている。各種演出制御パターンは、パチンコ遊技機１における遊技の進行状況に応じて実行される各種の演出動作に対応して、その制御内容を示すデータ等から構成されている。
【０１０８】
次に、パチンコ遊技機１の動作について説明する。パチンコ遊技機１においては、主基板３１における遊技制御用マイクロコンピュータ５６０が予め定められたメイン処理を実行すると、所定時間（たとえば２ｍｓ）毎に定期的にタイマ割込がかかりタイマ割込処理が実行されることにより、各種の遊技制御が実行可能となる。
【０１０９】
メイン処理においては、たとえば、必要な初期設定処理、通常時の初期化処理、通常時以外の遊技状態復旧処理、乱数回路設定処理（乱数回路５０３を初期設定）、表示用乱数更新処理（変動パターンの種別決定、変動パターン決定等の各種乱数の更新処理）、および、初期値用乱数更新処理（普通図柄当り判定用乱数発生カウンタのカウント値の初期値の更新処理）等が実行される。
【０１１０】
図８は、タイマ割込処理を示すフローチャートである。タイマ割込が発生すると、ＣＰＵ５６は、図８に示すステップＳ（以下、単に「Ｓ」と示す）２０〜Ｓ３４のタイマ割込処理を実行する。タイマ割込処理において、まず、電源断信号が出力されたか否か（オン状態になったか否か）を検出する電源断検出処理を実行する（Ｓ２０）。次いで、入力ドライバ回路５８を介して、ゲートスイッチ３２ａ、第１始動口スイッチ１３ａ、第２始動口スイッチ１４ａおよびカウントスイッチ２３の検出信号を入力し、それらの状態判定を行なう（スイッチ処理：Ｓ２１）。
【０１１１】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行なう表示制御処理を実行する（Ｓ２２）。第１特別図柄表示器８ａ、第２特別図柄表示器８ｂおよび普通図柄表示器１０については、Ｓ３２，Ｓ３３で設定される出力バッファの内容に応じて各表示器に対して駆動信号を出力する制御を実行する。
【０１１２】
また、遊技制御に用いられる普通図柄当り判定用乱数および大当り種別判定用乱数等の各判定用乱数を生成するための各カウンタのカウント値を更新する処理を行なう（判定用乱数更新処理：Ｓ２３）。ＣＰＵ５６は、さらに、初期値用乱数および表示用乱数を生成するためのカウンタのカウント値を更新する処理を行なう（初期値用乱数更新処理，表示用乱数更新処理：Ｓ２４，Ｓ２５）。
【０１１３】
さらに、ＣＰＵ５６は、特別図柄プロセス処理を行なう（Ｓ２６）。特別図柄プロセス処理では、第１特別図柄表示器８ａ、第２特別図柄表示器８ｂおよび大入賞口を所定の順序で制御するための特別図柄プロセスフラグにしたがって該当する処理を実行し、特別図柄プロセスフラグの値を、遊技状態に応じて更新する。
【０１１４】
次いで、普通図柄プロセス処理を行なう（Ｓ２７）。普通図柄プロセス処理では、ＣＰＵ５６は、普通図柄表示器１０の表示状態を所定の順序で制御するための普通図柄プロセスフラグにしたがって該当する処理を実行し、普通図柄プロセスフラグの値を、遊技状態に応じて更新する。
【０１１５】
また、ＣＰＵ５６は、演出制御用マイクロコンピュータ１００に演出制御コマンドを送信する処理を行なう（演出制御コマンド制御処理：Ｓ２８）。さらに、ＣＰＵ５６は、たとえばホール管理用コンピュータに供給される大当り情報、始動情報、確率変動情報等のデータを出力する情報出力処理を行なう（Ｓ２９）。
【０１１６】
また、ＣＰＵ５６は、第１始動口スイッチ１３ａ、第２始動口スイッチ１４ａおよびカウントスイッチ２３の検出信号に基づく賞球個数の設定等を行なう賞球処理を実行する（Ｓ３０）。
【０１１７】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（Ｓ３１：出力処理）。
【０１１８】
また、ＣＰＵ５６は、特別図柄プロセスフラグの値に応じて特別図柄の演出表示を行なうための特別図柄表示制御データを特別図柄表示制御データ設定用の出力バッファに設定する特別図柄表示制御処理を行なう（Ｓ３２）。
【０１１９】
さらに、ＣＰＵ５６は、普通図柄プロセスフラグの値に応じて普通図柄の演出表示を行なうための普通図柄表示制御データを普通図柄表示制御データ設定用の出力バッファに設定する普通図柄表示制御処理を行なう（Ｓ３３）。また、ＣＰＵ５６は、出力バッファに設定された表示制御データに応じて、Ｓ２２において駆動信号を出力することによって、普通図柄表示器１０における普通図柄の演出表示を実行する。
【０１２０】
その後、割込許可状態に設定し（Ｓ３４）、処理を終了する。以上の制御によって、この実施の形態では、遊技制御処理は所定時間毎に起動されることになる。
【０１２１】
図９は、特別図柄プロセス処理（Ｓ２６）を示すフローチャートである。特別図柄プロセス処理では、第１特別図柄表示器８ａまたは第２特別図柄表示器８ｂおよび大入賞口を制御するための処理が実行される。特別図柄プロセス処理においては、始動口スイッチ通過処理を実行する（Ｓ３１２）。そして、内部状態に応じて、Ｓ３００〜Ｓ３０７のうちのいずれかの処理を行なう。
【０１２２】
遊技制御用マイクロコンピュータ５６０において、ＲＡＭ５５には、前述したように、第１始動入賞口１３への始動入賞に基づいて得られる大当り判定用乱数等の保留記憶データ（第１保留記憶データ）が記憶される第１保留記憶バッファと、第２始動入賞口１４への始動入賞に基づいて得られる大当り判定用乱数等の保留記憶データ（第２保留記憶データ）が記憶される第２保留記憶バッファとが設けられている。これら各保留記憶バッファには、各保留記憶の記憶数の上限値（この例では４）に対応した保存領域が確保されている。
【０１２３】
始動口スイッチ通過処理では、第１始動口スイッチ１３ａがオンしていれば、第１保留記憶数が上限値（たとえば、４）に達していないことを条件として、第１保留記憶データの記憶数を計数する第１保留記憶数カウンタの値を１増やし、乱数回路５０３やソフトウェア乱数を生成するためのカウンタから数値データ（たとえば、大当り判定用乱数、変動パターン種別判定用乱数、および、変動パターン判定用乱数）を抽出し、それらを、第１保留記憶バッファにおける保存領域に保存（格納）する処理を実行する。さらに、合算保留記憶数カウンタの値を１増やし、合算後の合算保留記憶数カウンタの値に対応した保留特定領域に「第１」を示すデータを保存（格納）する処理を実行する。一方、第２始動口スイッチ１４ａがオンしていれば、第２保留記憶数が上限値（たとえば、４）に達していないことを条件として、第２保留記憶データの記憶数を計数する第２保留記憶数カウンタの値を１増やし、乱数回路５０３やソフトウェア乱数を生成するためのカウンタから数値データ（たとえば、大当り判定用乱数、変動パターン種別判定用乱数、および、変動パターン判定用乱数）を抽出し、それらを、第２保留記憶バッファにおける保存領域に保存（格納）する処理を実行する。さらに、合算保留記憶数カウンタの値を１増やし、合算後の合算保留記憶数カウンタの値に対応した保留特定領域に「第２」を示すデータを保存（格納）する処理を実行する。
【０１２４】
Ｓ３００〜Ｓ３０７の処理は、以下のような処理である。特別図柄通常処理（Ｓ３００）は、変動表示の表示結果を大当りとするか否かの決定、および、大当りとする場合の大当り種別の決定等を行なう処理である。変動パターン設定処理（Ｓ３０１）は、変動パターンの決定（変動パターン種別判定用乱数および変動パターン判定用乱数を用いた変動パターンの決定）、および、決定された変動パターンに応じて変動時間を計時するための変動時間タイマの計時開始等の制御を行なう処理である。
【０１２５】
表示結果指定コマンド送信処理（Ｓ３０２）は、演出制御用マイクロコンピュータ１００に、表示結果指定コマンドを送信する制御を行なう処理である。特別図柄変動中処理（Ｓ３０３）は、変動パターン設定処理で選択された変動パターンの変動時間が経過すると特別図柄停止処理にプロセスを進める処理である。特別図柄停止処理（Ｓ３０４）は、決定された変動パターンに対応する変動時間の経過が変動時間タイマにより計時されたときに第１特別図柄表示器８ａまたは第２特別図柄表示器８ｂにおける変動表示を停止して停止図柄を導出表示させる処理である。
【０１２６】
大入賞口開放前処理（Ｓ３０５）は、大当りの種別に応じて、特別可変入賞球装置２０において大入賞口を開放する制御等を行なう処理である。大入賞口開放中処理（Ｓ３０６）は、大当り遊技状態中のラウンド表示演出用の演出制御コマンドを演出制御用マイクロコンピュータ１００に送信する制御、および、大入賞口の閉成条件の成立を確認する処理等を行なう処理である。大入賞口の閉成条件が成立し、かつ、まだ残りラウンドがある場合には、大入賞口開放前処理（Ｓ３０５）に移行する。また、全てのラウンドを終えた場合には、大当り終了処理（Ｓ３０７）に移行する。大当り終了処理（Ｓ３０７）は、大当り遊技状態が終了したことを遊技者に報知する表示制御を演出制御用マイクロコンピュータ１００に行なわせるための制御等を行なう処理である。
【０１２７】
図１０は、Ｓ３１２の始動口スイッチ通過処理を示すフローチャートである。始動口スイッチ通過処理において、ＣＰＵ５６は、まず、第１始動口スイッチ１３ａがオン状態であるか否かを確認する（Ｓ１２１１）。第１始動口スイッチ１３ａがオン状態でなければ、Ｓ１２２２に移行する。第１始動口スイッチ１３ａがオン状態であれば、ＣＰＵ５６は、第１保留記憶数が上限値に達しているか否か（具体的には、第１保留記憶数をカウントするための第１保留記憶数カウンタの値が４であるか否か）を確認する（Ｓ１２１２）。第１保留記憶数が上限値に達していれば、Ｓ１２２２に移行する。
【０１２８】
第１保留記憶数が上限値に達していなければ、ＣＰＵ５６は、第１保留記憶数カウンタの値を１増やす（Ｓ１２１３）とともに、合算保留記憶数をカウントするための合算保留記憶数カウンタの値を１増やす（Ｓ１２１４）。また、ＣＰＵ５６は、図８で説明した第１始動入賞口１３、または、第２始動入賞口１４への入賞順を記憶するための保留記憶特定情報記憶領域（保留特定領域）において、合算保留記憶数カウンタの値に対応した領域に、「第１」を示すデータをセットする（Ｓ１２１５）。
【０１２９】
この実施の形態では、第１始動口スイッチ１３ａがオン状態となった場合（すなわち、第１始動入賞口１３に遊技球が始動入賞した場合）には「第１」を示すデータをセットし、第２始動口スイッチ１４ａがオン状態となった場合（すなわち、第２始動入賞口１４に遊技球が始動入賞した場合）には「第２」を示すデータをセットする。たとえば、ＣＰＵ５６は、図７に示す保留記憶特定情報記憶領域（保留特定領域）において、第１始動口スイッチ１３ａがオン状態となった場合には「第１」を示すデータとして０１（Ｈ）をセットし、第２始動口スイッチ１４ａがオン状態となった場合には「第２」を示すデータとして０２（Ｈ）をセットする。なお、この場合、対応する保留記憶がない場合には、保留記憶特定情報記憶領域（保留特定領域）には、００（Ｈ）がセットされている。
【０１３０】
図７（Ａ）に示すように、保留特定領域には、合算保留記憶数カウンタの値の最大値（この例では８）に対応した領域が確保されており、第１始動入賞口１３、または、第２始動入賞口１４への入賞に基づき入賞順に「第１」または「第２」であることを示すデータがセットされる。したがって、保留記憶特定情報記憶領域（保留特定領域）には、第１始動入賞口１３、または、第２始動入賞口１４への入賞順番が記憶される。
【０１３１】
次いで、ＣＰＵ５６は、乱数回路５０３やソフトウェア乱数を生成するためのカウンタから値を抽出し、それらを、第１保留記憶バッファ（図８（Ｂ）参照）における保存領域に格納する処理を実行する（Ｓ１２１６）。Ｓ１２１６の処理では、大当り判定用乱数（ランダムＲ）、大当り種別決定用乱数（ランダム１）、変動パターン種別判定用乱数（ランダム２）、および、変動パターン判定用乱数（ランダム３）が抽出され、保存領域に格納される。
【０１３２】
次いで、ＣＰＵ５６は、検出した始動入賞に基づく変動がその後実行されたときの変動表示結果や変動パターン種別を始動入賞時に予め判定する入賞時演出処理を実行する（Ｓ１２１７）。そして、ＣＰＵ５６は、入賞時演出処理の判定結果に基づいて、図柄指定コマンドを演出制御用マイクロコンピュータ１００に送信する制御を行なう（Ｓ１２１８）とともに、変動種別コマンドを演出制御用マイクロコンピュータ１００に送信する制御を行なう（Ｓ１２１９）。また、ＣＰＵ５６は、第１始動入賞指定コマンドを演出制御用マイクロコンピュータ１００に送信する制御を行なう（Ｓ１２２０）とともに、合算保留記憶数カウンタの値をＥＸＴデータに設定して合算保留記憶数指定コマンドを演出制御用マイクロコンピュータ１００に送信する制御を行なう（Ｓ１２２１）。
【０１３３】
Ｓ１２１８，Ｓ１２１９の処理を実行することによって、この実施の形態では、遊技状態（高確率状態、低確率状態、高ベース状態、低ベース状態、大当り遊技状態等の遊技状態）にかかわらず、第１始動入賞口１３に始動入賞するごとに、必ず図柄指定コマンドおよび変動種別コマンドの両方が、演出制御用マイクロコンピュータ１００に送信される。
【０１３４】
また、この実施の形態では、Ｓ１２１８〜Ｓ１２２１の処理が実行されることによって、第１始動入賞口１３への始動入賞が発生したときに、図柄指定コマンド、変動種別コマンド、第１始動入賞指定コマンドおよび合算保留記憶数指定コマンドの４つのコマンドのセットが１タイマ割込内に一括して送信される。
【０１３５】
次いで、ＣＰＵ５６は、第２始動口スイッチ１４ａがオン状態であるか否かを確認する（Ｓ１２２２）。第２始動口スイッチ１４ａがオン状態でなければ、そのまま処理を終了する。第２始動口スイッチ１４ａがオン状態であれば、ＣＰＵ５６は、第２保留記憶数が上限値に達しているか否か（具体的には、第２保留記憶数をカウントするための第２保留記憶数カウンタの値が４でるか否か）を確認する（Ｓ１２２３）。第２保留記憶数が上限値に達していれば、そのまま処理を終了する。
【０１３６】
第２保留記憶数が上限値に達していなければ、ＣＰＵ５６は、第２保留記憶数カウンタの値を１増やす（Ｓ１２２４）とともに、合算保留記憶数をカウントするための合算保留記憶数カウンタの値を１増やす（Ｓ１２２５）。また、ＣＰＵ５６は、保留記憶特定情報記憶領域（保留特定領域）において、合算保留記憶数カウンタの値に対応した領域に、「第２」を示すデータをセットする（Ｓ１２２６）。
【０１３７】
次いで、ＣＰＵ５６は、乱数回路５０３やソフトウェア乱数を生成するためのカウンタから値を抽出し、それらを、第２保留記憶バッファ（図８（Ｂ）参照）における保存領域に格納する処理を実行する（Ｓ１２２７）。なお、Ｓ１２２７の処理では、大当り判定用乱数（ランダムＲ）、大当り種別決定用乱数（ランダム１）、変動パターン種別判定用乱数（ランダム２）、および、変動パターン判定用乱数（ランダム３）が抽出され、保存領域に格納される。
【０１３８】
次いで、ＣＰＵ５６は、入賞時演出処理を実行する（Ｓ１２２８）。そして、ＣＰＵ５６は、入賞時演出処理の判定結果に基づいて図柄指定コマンドを演出制御用マイクロコンピュータ１００に送信する制御を行なう（Ｓ１２２９）とともに、変動種別コマンドを演出制御用マイクロコンピュータ１００に送信する制御を行なう（Ｓ１２３０）。また、ＣＰＵ５６は、第２始動入賞指定コマンドを演出制御用マイクロコンピュータ１００に送信する制御を行なう（Ｓ１２３１）とともに、合算保留記憶数カウンタの値をＥＸＴデータに設定して合算保留記憶数指定コマンドを演出制御用マイクロコンピュータ１００に送信する制御を行なう（Ｓ１２３２）。
【０１３９】
Ｓ１２２９，Ｓ１２３０の処理を実行することによって、この実施の形態では、遊技状態（高確率状態、低確率状態、高ベース状態、低ベース状態、大当り遊技状態等の遊技状態）にかかわらず、第２始動入賞口１４に始動入賞するごとに、必ず図柄指定コマンドおよび変動種別コマンドの両方を演出制御用マイクロコンピュータ１００に対して送信する。
【０１４０】
また、この実施の形態では、Ｓ１２２９〜Ｓ１２３２の処理が実行されることによって、第２始動入賞口１４への始動入賞が発生したときに、図柄指定コマンド、変動種別コマンド、第２始動入賞指定コマンドおよび合算保留記憶数指定コマンドの４つのコマンドのセットが１タイマ割込内に一括して送信される。
【０１４１】
図１１は、特別図柄プロセス処理における特別図柄通常処理（Ｓ３００）を示すフローチャートである。特別図柄通常処理において、ＣＰＵ５６は、第１保留記憶バッファまたは第２保留記憶バッファに保留記憶データがあるかどうかを確認する（Ｓ５１）。第１保留記憶バッファおよび第２保留記憶バッファのどちらにも保留記憶データがない場合には、まだ客待ち状態指定コマンドを送信していなければ、客待ち状態モードを指定する客待ち状態指定コマンドを送信するための処理をし（Ｓ７７）、特別図柄通常処理を終了する。ここで、客待ち状態指定コマンドを送信すると、客待ち状態指定コマンドを送信したことを示す客待ち状態指定コマンド送信済フラグをセットする。そして、客待ち状態指定コマンドを送信した後に次回のタイマ割込以降の特別図柄通常処理を実行する場合には、客
待ち状態指定コマンド送信済フラグがセットされていることに基づいて、重ねて客待ち状態指定コマンドを送信しないように制御される。このような客待ち状態指定コマンド送信済フラグは、次回の特別図柄の変動表示が開始されるときにリセットされる。
【０１４２】
第１保留記憶バッファまたは第２保留記憶バッファに保留記憶データがあるときには、ＣＰＵ５６は、保留特定領域（図７（Ａ）参照）に設定されているデータのうち１番目のデータが「第１」を示すデータであるか否か確認する（Ｓ５２）。保留特定領域に設定されている１番目のデータが「第１」を示すデータでない（すなわち、「第２」を示すデータである）場合（Ｓ５２のＮ）、ＣＰＵ５６は、特別図柄ポインタ（第１特別図柄について特別図柄プロセス処理を行なっているのか第２特別図柄について特別図柄プロセス処理を行なっているのかを示すフラグ）に「第２」を示すデータを設定する（Ｓ５３）。保留特定領域に設定されている１番目のデータが「第１」を示すデータである場合（Ｓ５２のＹ）、ＣＰＵ１０３は、特別図柄ポインタに「第１」を示すデータを設定する（Ｓ５４）。
【０１４３】
この実施の形態では、以下、特別図柄ポインタに「第１」を示すデータが設定されたか「第２」を示すデータが設定されたかに応じて、第１特別図柄表示器８ａにおける第１特別図柄の変動表示と、第２特別図柄表示器８ｂにおける第２特別図柄の変動表示とを、共通の処理ルーチンを用いて実行する。特別図柄ポインタに「第１」を示すデータが設定されたときには、第１保留記憶バッファに記憶された保留記憶データに基づいて、第１特別図柄表示器８ａにおける第１特別図柄の変動表示が行なわれる。一方、特別図柄ポインタに「第２」を示すデータが設定されたときには、第２保留記憶バッファに記憶された保留記憶データに基づいて、第２特別図柄表示器８ｂにおける第２特別図柄の変動表示が行なわれる。
【０１４４】
Ｓ５２〜Ｓ５４の処理が実行されることによって、この実施の形態では、第１始動入賞口１３と第２始動入賞口１４とに遊技球が入賞した始動入賞順にしたがって、第１特別図柄の変動表示または第２特別図柄の変動表示が実行される。
【０１４５】
次に、ＣＰＵ５６は、ＲＡＭ５５において、特別図柄ポインタが示す方の保留記憶数＝１に対応する保存領域に格納されている各乱数値を読出してＲＡＭ５５の保留記憶バッファに格納する（Ｓ５５）。具体的には、ＣＰＵ５６は、特別図柄ポインタが「第１」を示している場合には、第１保留記憶バッファにおける第１保留記憶数＝１に対応する保存領域に格納されている各乱数値を読出してＲＡＭ５５の保留記憶バッファに格納する。また、ＣＰＵ５６は、特別図柄ポインタが「第２」を示している場合には、第２保留記憶バッファにおける第２保留記憶数＝１に対応する保存領域に格納されている各乱数値を読出してＲＡＭ５５の保留記憶バッファに格納する。
【０１４６】
そして、ＣＰＵ５６は、特別図柄ポインタが示す方の保留記憶数カウンタのカウント値を１減算し、かつ、各保存領域の内容をシフトする（Ｓ５６）。具体的には、ＣＰＵ５６は、特別図柄ポインタが「第１」を示している場合には、第１保留記憶数カウンタのカウント値を１減算し、かつ、第１保留記憶バッファにおける各保存領域の内容をシフトする。また、特別図柄ポインタが「第２」を示している場合に、第２保留記憶数カウンタのカウント値を１減算し、かつ、第２保留記憶バッファにおける各保存領域の内容をシフトする。
【０１４７】
Ｓ５６の処理を実行した後、ＲＡＭ５５に形成され合算保留記憶数を計数する合算保留記憶数カウンタのカウント値を１減算する（Ｓ５７）。なお、ＣＰＵ５６は、カウント値が１減算される前の合算保留記憶数カウンタの値をＲＡＭ５５の所定の領域に保存し、かつ、保留特定記憶領域に格納されている内容をシフトする。
【０１４８】
すなわち、ＣＰＵ５６は、特別図柄ポインタが「第１」を示している場合に、ＲＡＭ５５の第１保留記憶バッファにおいて第１保留記憶数＝ｎ（ｎ＝２，３，４）に対応する保存領域に格納されている各乱数値を、第１保留記憶数＝ｎ−１に対応する保存領域に格納する。また、特別図柄ポインタが「第２」を示す場合に、ＲＡＭ５５の第２保留記憶バッファにおいて第２保留記憶数＝ｎ（ｎ＝２，３，４）に対応する保存領域に格納されている各乱数値を、第２保留記憶数＝ｎ−１に対応する保存領域に格納する。また、ＣＰＵ５６は、保留特定領域において合算保留記憶数＝ｍ（ｍ＝２〜８）に対応する保存領域に格納されている値（「第１」または「第２」を示す値）を、合算保留記憶数＝ｍ−１に対応する保存領域に格納する。よって、各第１保留記憶数（または、各第２保留記憶数）に対応するそれぞれの保存領域に格納されている各乱数値が抽出された順番は、常に、第１保留記憶数（または、第２保留記憶数）＝１，２，３，４の順番と一致するようになっている。また、各合算保留記憶数に対応するそれぞれの保存領域に格納されている各値が抽出された順番は、常に、合算保留記憶数＝１〜８の順番と一致するようになっている。
【０１４９】
特別図柄通常処理では、最初に、第１始動入賞口１３を対象として処理を実行することを示す「第１」を示すデータすなわち第１特別図柄を対象として処理を実行することを示す「第１」を示すデータ、または第２始動入賞口１４を対象として処理を実行することを示す「第２」を示すデータすなわち第２特別図柄を対象として処理を実行することを示す「第２」を示すデータが、特別図柄ポインタに設定される。そして、特別図柄プロセス処理における以降の処理では、特別図柄ポインタに設定されているデータに応じた処理が実行される。よって、Ｓ３００〜Ｓ３０７の処理を、第１特別図柄を対象とする場合と第２特別図柄を対象とする場合とで共通化することができる。
【０１５０】
次に、ＣＰＵ５６は、保留記憶バッファからランダムＲ（大当り判定用乱数）を読出し、大当り判定モジュールを実行する（Ｓ６１）。なお、この場合、ＣＰＵ５６は、始動口スイッチ通過処理のＳ１２１６や始動口スイッチ通過処理のＳ１２２７で抽出し第１保留記憶バッファや第２保留記憶バッファに予め格納した大当り判定用乱数を読出し、大当り判定を行なう。大当り判定モジュールは、予め決められている大当り判定値（図５参照）と大当り判定用乱数とを比較し、それらが一致したら大当りとすることに決定する処理を実行するプログラムである。すなわち、大当り判定の処理を実行するプログラムである。
【０１５１】
大当り判定の処理では、遊技状態が確変状態（高確率状態）の場合は、遊技状態が非確変状態（通常遊技状態）の場合よりも、大当りとなる確率が高くなるように構成されている。具体的には、予め大当り判定値の数が多く設定されている確変時大当り判定テーブル（ＲＯＭ５４における図５（Ａ）の右側の数値が設定されているテーブル）と、大当り判定値の数が確変時大当り判定テーブルよりも少なく設定されている通常時大当り判定テーブル（ＲＯＭ５４における図５（Ａ）の左側の数値が設定されているテーブル）とが設けられている。そして、ＣＰＵ５６は、遊技状態が確変状態であるか否かを確認し、遊技状態が確変状態であるときは、確変時大当り判定テーブルを使用して大当り判定の処理を行ない、遊技状態が通常遊態や時短状態であるときは、通常時大当り判定テーブルを使用して大当り判定の処理を行なう。すなわち、ＣＰＵ５６は、大当り判定用乱数（ランダムＲ）の値が図５（Ａ）に示すいずれかの大当り判定値に一致すると、特別図柄に関して大当りとすることに決定する。大当りとすることに決定した場合には（Ｓ６１のＹ）、Ｓ７１に移行する。なお、大当りとするか否か決定するということは、大当り遊技状態に移行させるか否か決定するということであるが、特別図柄表示器における停止図柄を大当り図柄とするか否か決定するということでもある。
【０１５２】
なお、現在の遊技状態が確変状態であるか否かの確認は、確変フラグがセットされているか否かにより行なわれる。確変フラグは、遊技状態を確変状態に移行するときにセット
され、確変状態を終了するときにリセットされる。具体的に、確変フラグは、確変大当りとなったときに、大当り終了処理（図９のＳ３０７）においてセットされ、その後、次回の大当りが決定されたという条件、または、はずれ表示結果となる変動表示が所定回数（たとえば１００回）が実行されたという条件が成立したときに、特別図柄の変動表示を終了して停止図柄を停止表示するタイミングでリセットされる。
【０１５３】
大当り判定用乱数（ランダムＲ）の値がいずれの大当り判定値にも一致しなければ（Ｓ６１のＮ）、後述するＳ７５に進む。Ｓ６１において大当り判定用乱数（ランダムＲ）の値がいずれかの大当り判定値に一致すればＣＰＵ５６は、大当りであることを示す大当りフラグをセットする（Ｓ７１）。なお、大当りフラグは、大当り遊技が終了するときにリセットされる。そして、大当り種別を複数種類のうちのいずれかに決定するために使用するテーブルとして、図５（Ｂ）の第１特別図柄大当り種別判定用テーブルおよび図５（Ｃ）の第２特別図柄大当り種別判定用テーブルのうち、いずれかのテーブルを選択する（Ｓ７２）。具体的に、ＣＰＵ５６は、特別図柄ポインタが「第１」を示している場合には、図５（Ｂ）に示す第１特別図柄大当り種別判定用テーブルを選択する。また、ＣＰＵ５６は、特別図柄ポインタが「第２」を示している場合において、図５（Ｃ）の第２特別図柄大当り種別判定用テーブルを選択する。
【０１５４】
次に、ＣＰＵ５６は、始動口スイッチ通過処理で抽出し第１保留記憶バッファや第２保留記憶バッファに予め格納した大当り種別判定用乱数を読出し、Ｓ７２で選択した大当り種別判定テーブルを用いて、保留記憶バッファに格納された大当り種別判定用の乱数（ランダム１）の値と一致する値に対応した大当り種別および大当り図柄を決定する（Ｓ７３）。
【０１５５】
図５（Ｂ），（Ｃ）に示すように、第１特別図柄および第２特別図柄については、大当り種別ごとに大当り図柄が異なるように大当り種別と大当り図柄との関係が設定されており、大当り種別と大当り図柄とが同時に決定されるので、大当り図柄と、大当り種別に応じた遊技制御との対応関係が単純化するため、遊技制御の複雑化を防ぐことができる。
【０１５６】
また、ＣＰＵ５６は、決定した大当りの種別を示す大当り種別データをＲＡＭ５５における大当り種別バッファに設定する（Ｓ７４）。たとえば大当り種別が「通常大当り」の場合には、大当り種別データとして「０１」が設定される。大当り種別が「確変大当り」の場合には、大当り種別データとして「０２」が設定される。
【０１５７】
次に、ＣＰＵ５６は、特別図柄の停止図柄を設定する（Ｓ７５）。具体的には、大当りフラグがセットされていない場合には、はずれ図柄となる「−」を特別図柄の停止図柄として設定する。大当りフラグがセットされている場合には、大当り種別の決定結果に応じて、Ｓ７３により決定された大当り図柄を特別図柄の停止図柄に設定する。すなわち、大当り種別が「確変大当り」に決定されたときには「７」を特別図柄の停止図柄に設定する。大当り種別が「通常大当り」に決定した場合には「３」を特別図柄の停止図柄に決定する。
【０１５８】
そして、特別図柄プロセスフラグの値を変動パターン設定処理（Ｓ３０１）に対応した値に更新する（Ｓ７６）。
【０１５９】
前述した表示結果指定コマンド送信処理（Ｓ３０２）においては、ＣＰＵ５６が、決定されている大当りの種類、または、はずれに応じて、表示結果を指定する表示結果１指定〜表示結果３指定コマンドのいずれかの演出制御コマンド（図７参照）を送信する制御を行なう。
【０１６０】
また、前述した特別図柄変動中処理（Ｓ３０３）においては、ＣＰＵ５６は、変動時間タイマを１減算し、変動時間タイマがタイムアウトしたら、特別図柄プロセスフラグの値を特別図柄停止処理（Ｓ３０４）に対応した値に更新し、特別図柄停止処理に進む。
【０１６１】
変動表示の結果、大当りとなるときには、大入賞口開放前処理（Ｓ３０５）、大入賞口開放中処理（Ｓ３０６）、および、大当り終了処理（Ｓ３０７）が実行されることにより、大当り遊技状態に制御される。大当り終了処理（Ｓ３０７）において、確変大当りの終了時には、確変フラグおよび時短フラグがセットされ、通常大当りの終了時には、時短フラグがセットされる。これにより、確変大当りの終了後には、確変状態および時短状態に制御され、通常大当りの終了後には、時短状態に制御される。
【０１６２】
確変大当りおよび通常大当り後の時短状態は、変動表示が１００回実行されるまでと、次の大当りが発生するまでとのいずれかの条件が成立するまで継続させる必要がある。このような変動表示１００回という継続期間は、大当り終了処理（Ｓ３０７）において、時短状態における特別図柄の変動可能回数を示す時短回数カウンタを１００回にセットし、その後に変動表示が実行されるごとに特別図柄停止処理で減算更新することにより管理され、時短回数カウンタがカウントアップしたことに基づいて、時短フラグがリセットされることにより、時短状態を終了させる制御が行なわれる。
【０１６３】
次に、演出制御用マイクロコンピュータ１００の動作を説明する。図１２は、演出制御基板８０に搭載されている演出制御用マイクロコンピュータ１００（具体的には、演出制御用ＣＰＵ１０１）が実行する演出制御メイン処理を示すフローチャートである。
【０１６４】
演出制御用ＣＰＵ１０１は、電源が投入されると、演出制御メイン処理の実行を開始する。演出制御メイン処理では、まず、ＲＡＭ領域のクリアや各種初期値の設定、また演出制御の起動間隔（たとえば、２ｍｓ）を決めるためのタイマの初期設定等を行なうための初期化処理を行なう（Ｓ７０１）。その後、演出制御用ＣＰＵ１０１は、タイマ割込フラグの監視（Ｓ７０２）を行なうループ処理に移行する。タイマ割込が発生すると、演出制御用ＣＰＵ１０１は、タイマ割込処理においてタイマ割込フラグをセットする。演出制御メイン処理において、タイマ割込フラグがセットされていたら、演出制御用ＣＰＵ１０１は、そのフラグをクリアし（Ｓ７０３）、以下の演出制御処理を実行する。
【０１６５】
演出制御処理において、演出制御用ＣＰＵ１０１は、まず、受信した演出制御コマンドを解析し、受信した演出制御コマンドがどのようなことを指示するコマンドであるかを特定可能なフラグ等のデータをセットする処理（たとえば、ＲＡＭ１０３に設けられた各種コマンド格納領域に受信したコマンドを特定可能なデータを格納する処理等）等を行なう（コマンド解析処理：Ｓ７０４）。次いで、演出制御用ＣＰＵ１０１は、演出制御プロセス処理を行なう（Ｓ７０５）。演出制御プロセス処理では、Ｓ７０４で解析した演出制御コマンドの内容にしたがって演出表示装置９での演出図柄の変動表示等の各種演出を行なうために、制御状態に応じた各プロセスのうち、現在の制御状態（演出制御プロセスフラグ）に対応した処理を選択して演出制御を実行する。
【０１６６】
次いで、演出制御用マイクロコンピュータ１００が用いる乱数（演出図柄の左停止図柄決定用のＳＲ１−１、演出図柄の中停止図柄決定用のＳＲ１−２、演出図柄の右停止図柄決定用のＳＲ１−３等）を生成するためのカウンタのカウント値を更新する乱数更新処理を実行する（Ｓ７０６）。このような乱数ＳＲ１−１〜ＳＲ１−３等のそれぞれは、ソフトウェアによりカウント値を更新するランダムカウンタのカウントにより生成されるものであり、それぞれについて予め定められた範囲内でそれぞれ巡回更新され、それぞれについて定められたタイミングで抽出されることにより乱数として用いられる。
【０１６７】
次いで、保留表示エリアにおける保留表示の表示状態の制御（保留表示の移動、消去等）を行なう保留記憶表示制御処理を実行する（Ｓ７０７）。
【０１６８】
このような演出制御メイン処理が実行されることにより、演出制御用マイクロコンピュータ１００では、遊技制御用マイクロコンピュータ５６０から送信され、受信した演出制御コマンドに応じて、演出表示装置９、各種ランプ、および、スピーカ２７Ｌ，２７Ｒ等の演出装置を制御することにより、遊技状態に応じた各種の演出制御が行なわれる。
【０１６９】
図１３は、図１２に示された演出制御メイン処理における演出制御プロセス処理（Ｓ７０５）を示すフローチャートである。演出制御プロセス処理では、演出制御用ＣＰＵ１０１は、先読み演出を実行するか否かの決定、および、先読み演出の種類の選択をする先読み演出処理（Ｓ５００）を実行した後、演出制御プロセスフラグの値に応じてＳ８００〜Ｓ８０７のうちのいずれかの処理を行なう。
【０１７０】
演出制御プロセス処理では、以下のような処理が実行される。演出制御プロセス処理では、演出表示装置９の表示状態が制御され、演出図柄の変動表示が実現されるが、第１特別図柄の変動に同期した演出図柄の変動表示に関する制御も、第２特別図柄の変動に同期した演出図柄の変動表示に関する制御も、一つの演出制御プロセス処理において実行される。
【０１７１】
先読み演出処理（Ｓ５００）は、先読み演出を実行するか否か等の先読み判定、および、先読み演出を実行するときの演出態様の決定等を行なう処理である。先読み演出とは、ある保留情報（保留記憶情報）に基づいた特別図柄の変動表示（図柄変動）の順番が到来する前に、その保留情報を先読みしてその保留情報に基づいた特別図柄の変動表示の内容を判定して、将来の特別図柄の変動表示がどのようになるかを、それよりも前の段階で予告をする等の演出技術である。たとえば、保留情報が大当りであるときに、当該保留情報による変動表示が実行される前に、当該保留情報に対応する保留表示の表示態様に基づいて、後に大当りが発生する可能性のあることを予告するといった類の演出が先読み演出として行なわれる。以下では、先読み演出の対象とした保留情報に基づいた変動表示を「ターゲットの変動表示」と称する。
【０１７２】
変動パターンコマンド受信待ち処理（Ｓ８００）は、遊技制御用マイクロコンピュータ５６０から変動パターンコマンドを受信しているか否か確認する処理等を行なう処理である。変動パターンコマンドを受信していれば、演出図柄変動開始処理に移行する。
【０１７３】
演出図柄変動開始処理（Ｓ８０１）は、演出図柄（飾り図柄）の変動表示が開始されるように制御するための処理である。演出図柄変動中処理（Ｓ８０２）は、変動パターンを構成する各変動状態（変動速度）の切替えタイミングを制御する処理等を行なう処理である。演出図柄変動停止処理（Ｓ８０３）は、演出図柄（飾り図柄）の変動表示を停止し、変動表示の表示結果（最終停止図柄）を導出表示する制御を行なう処理である。
【０１７４】
大当り表示処理（Ｓ８０４）は、変動時間の終了後、演出表示装置９に大当りの発生を報知するためのファンファーレ演出を表示する制御等の表示制御を行なう処理である。ラウンド中処理（Ｓ８０５）は、ラウンド中の表示制御を行なう処理である。ラウンド終了条件が成立したときに、最終ラウンドが終了していなければ、ラウンド後処理に移行し、最終ラウンドが終了していれば、大当り終了処理に移行する。ラウンド後処理（Ｓ８０６）は、ラウンド間の表示制御を行なう処理である。ラウンド開始条件が成立したら、ラウンド中処理に移行する。大当り終了演出処理（Ｓ８０７）は、演出表示装置９において、大当り遊技状態が終了したことを遊技者に報知する表示制御を行なう処理である。
【０１７５】
演出制御用ＣＰＵ１０１は、変動表示の開始時から変動表示の停止時まで、および、大当り遊技状態開始時から大当り遊技状態終了時までの予め定められた演出制御期間中に、ＲＯＭ１０２に格納されたプロセステーブルに設定されているプロセスデータに従って演出表示装置９等の演出装置（演出用部品）の制御を行なう。
【０１７６】
プロセステーブルは、プロセスタイマ設定値と、表示制御実行データ、ランプ制御実行データおよび音番号データの組合せが複数集まったデータとで構成されている。表示制御実行データには、演出図柄（飾り図柄）の変動表示の変動時間（変動表示時間）中の変動態様を構成する各変動の態様を示すデータ等が記載されている。具体的には、演出表示装置９の表示画面の変更に関わるデータが記載されている。また、プロセスタイマ設定値には、その変動の態様での変動時間が設定されている。演出制御用ＣＰＵ１０１は、プロセステーブルを参照し、プロセスタイマ設定値に設定されている時間だけ表示制御実行データに設定されている変動の態様で演出図柄を表示させる制御を行なう。このようなプロセステーブルは、各変動パターンに応じて用意されている。
【０１７７】
図１４は、演出制御用マイクロコンピュータ１００で用いる乱数を示す図である。ＳＲ１−１〜ＳＲ１−３は、演出図柄の変動表示結果である停止図柄として、演出表示装置９の表示領域における「左」、「中」、「右」の各図柄表示エリアに停止表示される演出図柄（最終停止図柄）を決定するために用いられる停止図柄決定用乱数である。最終停止図柄は、演出図柄の変動表示が終了する時点で「左」、「中」、「右」の図柄表示エリアそれぞれにおいて最終的に停止表示される３つの演出図柄である。演出図柄の大当り図柄の組合せは、ＳＲ１−１〜ＳＲ１−３のうちのいずれか１個の乱数（たとえばＳＲ１−１）によって同じ図柄の組合せに決定される。
【０１７８】
ＳＲ１−１〜ＳＲ３のそれぞれはＳ７０６の乱数更新処理において予め定められたタイミングで、図中に示された計数範囲内において繰返し加算更新される。たとえば、ＳＲ１−１が３３ｍｓｅｃごと、ＳＲ１−２がＳＲ１−１の桁上げごと、ＳＲ１−３がＳＲ１−２の桁上げごとにそれぞれ加算更新され、０から更新されてその上限である２４まで更新された後再度０から更新される。演出制御用マイクロコンピュータ１００では、ＳＲ１−１〜ＳＲ１−３の他に、各種演出制御用の乱数が用いられる。
【０１７９】
図１５は、変動表示における演出図柄の停止図柄の画像を選択決定する図柄画像選択テーブルを示す説明図である。図柄画像選択テーブルは、図１５（Ａ）の低確率時はずれ図柄画像選択テーブル、図１５（Ｂ）の高確率時はずれ図柄画像選択テーブル、図１５（Ｃ）の低確率時通常大当り画像選択テーブル、図１５（Ｄ）の高確率時通常大当り図柄画像選択テーブル、図１５（Ｅ）の低確率時確変大当り図柄画像選択テーブル、図１５（Ｆ）の高確率時通常大当り図柄画像選択テーブル、および、図１５（Ｇ）の高確率時通常大当り図柄画像選択テーブルを含む。これらのテーブルは、データテーブルを構成するデータとしてＲＯＭ１０２に記憶されている。
【０１８０】
低確率状態において変動表示がはずれ表示結果となるときには、図１５（Ａ）の低確率時はずれ図柄画像選択テーブルが用いられる。高確率状態において変動表示がはずれ表示結果となるときには、図１５（Ｂ）の高確率時はずれ図柄画像選択テーブルが用いられる。低確率状態において変動表示が通常大当りの大当り表示結果となるときには、図１５（Ｃ）の低確率時通常大当り図柄画像選択テーブルが用いられる。高確率状態において変動表示が通常大当りの大当り表示結果となるときには、図１５（Ｄ）の高確率時通常大当り図柄画像選択テーブルが用いられる。低確率状態において変動表示が確変大当りの大当り表示結果となるときには、図１５（Ｅ）の低確率時確変大当り図柄画像選択テーブルが用いられる。高確率状態において変動表示が確変大当りの大当り表示結果となるときには、図１５（Ｆ）の高確率時確変大当り図柄画像選択テーブルが用いられる。
【０１８１】
図１５（Ａ）〜（Ｆ）の図柄画像選択テーブルのそれぞれでは、演出図柄に含まれる数字部の「１」〜「９」の数字と、演出図柄に含まれる装飾部のキャラクタ（Ａキャラクタ〜Ｉキャラクタ）との対応関係が示されている。演出図柄は、後述する図１７（Ａ）等に示すように、「１」〜「９」のうちいずれかの数字が示された数字部９１１，９２１，９３１と、Ａキャラクタ〜Ｉキャラクタのうちいずれかのキャラクタが示された装飾部９１２，９２２，９３２とを含む識別情報である。
【０１８２】
低確率状態で選択される図１５（Ａ），（Ｃ），（Ｅ）の図柄画像選択テーブルのそれぞれでは、演出図柄に含まれる数字部に対応して装飾部のキャラクタが表示されることが設定されているため、低確率状態で変動表示が実行される場合には、数字部と装飾部との両方を含む演出図柄が変動表示される。一方、高確率状態で選択される図１５（Ｂ），（Ｄ），（Ｆ）の図柄画像選択テーブルのそれぞれでは、演出図柄に含まれる数字部に対応する装飾部のキャラクタが設定されていないため、高確率状態で変動表示が実行される場合には、装飾部を有さず数字部のみを有する演出図柄が変動表示される。
【０１８３】
このような遊技状態別で選択される演出図柄の構成によれば、低確率状態と高確率状態とのような遊技状態の種類に応じて演出図柄の構成が異なるようになる。
【０１８４】
なお、遊技状態の種類に応じて演出図柄の構成が異なるようにする場合の遊技状態のその他の例としては、特別図柄の変動時間を通常の変動時間よりも短縮する時短状態と、特別図柄の変動時間を通常の変動時間で実行する非時短状態とで異なるようにしもてよい。
【０１８５】
また、装飾部のＡキャラクタ〜Ｉキャラクタは、キャラクタの種類のそれぞれに対応する停止動作（演出図柄停止時のキャラクタの動作）の種類（第１停止時動作〜第７停止時動作）が示されている。第１停止時動作〜第９停止時動作は、Ａキャラクタ〜Ｉキャラクタのそれぞれの特徴に対応して設定された、異なる動作態様の動作であり、演出図柄においては、数字部の「１」〜「９」の数字のそれぞれに異なる種類のキャラクタ（Ａキャラクタ〜Ｉキャラクタ）が対応付けられている。Ａキャラクタ〜Ｉキャラクタのそれぞれは、演出図柄の変動中に動作する表示がされる画像であり、画像全体の形状、および、変動停止時にキャラクタが示す動作形態である停止時ポーズ等の停止時動作の動作態様が異なる。
【０１８６】
また、３種類の停止図柄決定用乱数ＳＲ１−１〜ＳＲ１−３のそれぞれについて、０〜２４の数値範囲よりなる合計２５個の数値が、演出図柄に含まれる数字部の「１」〜「９」の数字および対応関係にあるキャラクタの種類のそれぞれに振られている。ＳＲ１−１〜ＳＲ１−３のそれぞれは、説明を明確化するために、割振られた乱数ＳＲ２値の個数が示されている。
【０１８７】
図１５（Ａ），（Ｂ）のはずれ図柄では、「７」図柄以外の数字の各数字部に、ＳＲ１−１〜ＳＲ１−３として、同じ個数の数値が割振られている。「７」図柄の数字は、「７」図柄以外の数字よりも少ない個数の数値が割振られている。これにより、はずれ表示結果となる変動表示においては、「７」図柄以外の数字部を有する演出図柄のそれぞれが、「７」図柄の数字部を有する演出図柄よりも停止図柄として表示される割合が高くなる。
【０１８８】
図１５（Ｃ），（Ｄ）の通常大当りの大当図柄（以下通常大当り図柄または通常図柄という）では、ＳＲ１−１〜ＳＲ１−３として、偶数の数字の各数字部にのみ、同じ個数の数値が割振られており、奇数の数字の各数字部に数値が割振られていない。これにより、大当り表示結果のうち、通常大当り表示結果となる変動表示においては、偶数の数字部を有する演出図柄のみが表示される。通常大当り図柄としては、左，中，右の各図柄が、Ｓ
Ｒ１−１に基づいて選択された奇数図柄の数字に揃えられた図柄の組合せが決定される。
【０１８９】
図１５（Ｅ），（Ｆ）の確変大当りの大当図柄（以下確変大当り図柄または確変図柄という）では、ＳＲ１−１〜ＳＲ１−３として、奇数の数字の各数字部にのみ、同じ個数の数値が割振られており、偶数の数字の各数字部に数値が割振られていない。これにより、大当り表示結果のうち、確変大当り表示結果となる変動表示においては、奇数の数字部を有する演出図柄のみが表示される。確変大当り図柄としては、左，中，右の各図柄が、ＳＲ１−１に基づいて選択された奇数図柄の数字に揃えられた図柄の組合せが決定される。
【０１９０】
演出制御用マイクロコンピュータ１００では、変動表示を開始するときに、所定のタイミングでＳＲ１−１〜ＳＲ１−３のそれぞれから数値データ（乱数）を抽出する。そして、変動表示の表示結果が、はずれ表示結果と、通常大当り表示結果と、確変大当り表示結果とのいずれになるかという情報と、現在の大当り確率が低確率状態であるか高確率状態であるかという情報とに応じて、図１５（Ａ）〜（Ｆ）の図柄画像選択テーブルのいずれかを選択し、選択した図柄画像選択テーブルを用い、抽出した数値データに対応する図柄を、それぞれ左，中，右の演出図柄の変動表示結果となる停止図柄の組合せとして決定する。
【０１９１】
たとえば、リーチ状態とならずにはずれの表示結果となる「非リーチはずれ表示結果」の場合には、大当り確率の状態に応じて、図１５（Ａ）または図１５（Ｂ）の図柄画像選択テーブルを選択的に用いて、ＳＲ１−１〜ＳＲ１−３のそれぞれの抽出した数値データに対応する図柄を左，中，右の演出図柄の変動表示結果となる停止図柄の組合せとして決定する。なお、抽出された乱数に対応する停止図柄が偶然リーチ図柄となってしまう場合には、非リーチはずれ図柄の組合せとなるように補正（たとえば、右図柄を１図柄ずらす補正）して各停止図柄が決定される。
【０１９２】
また、リーチ状態となってはずれの表示結果となる「リーチはずれ表示結果」の場合には、大当り確率の状態に応じて、図１５（Ａ）または図１５（Ｂ）の図柄画像選択テーブルを選択的に用いて、ＳＲ１−１の抽出した数値データに対応する図柄を左，右の演出図柄の変動表示結果となる停止図柄の組合せとして決定する。これにより、左，右の演出図柄の停止図柄が同じ図柄に揃ったリーチ図柄となる。そして、ＳＲ１−２の抽出した数値データに対応する図柄を中の演出図柄の変動表示結果となる停止図柄の組合せとして決定する。
【０１９３】
また、通常大当り図柄の組合せの表示結果となる「通常大当り表示結果」の場合には、大当り確率の状態に応じて、図１５（Ｃ）または図１５（Ｄ）の図柄画像選択テーブルを選択的に用いて、ＳＲ１−１の抽出した数値データに対応する図柄を左，中，右の演出図柄の変動表示結果となる停止図柄の組合せとして決定する。これにより、左，中，右の演出図柄の停止図柄が同じ偶数の数字の図柄に揃った通常大当り図柄の組合せとなるとともに、変動表示中には、左，右の演出図柄の停止図柄が同じ図柄に揃ったリーチ図柄となる。
【０１９４】
また、確変大当り図柄の組合せの表示結果となる「確変大当り表示結果」の場合には、大当り確率の状態に応じて、図１５（Ｅ）または図１５（Ｆ）の図柄画像選択テーブルを選択的に用いて、ＳＲ１−１の抽出した数値データに対応する図柄を左，中，右の演出図柄の変動表示結果となる停止図柄の組合せとして決定する。これにより、左，中，右の演出図柄の停止図柄が同じ奇数の数字の図柄に揃った確変大当り図柄の組合せとなるとともに、変動表示中には、左，右の演出図柄の停止図柄が同じ図柄に揃ったリーチ図柄となる。
【０１９５】
図１５（Ａ），（Ｂ）のはずれ図柄画像選択テーブルと、図１５（Ｃ）〜（Ｆ）の大当り図柄画像選択テーブルとを比較すると、大当り表示結果となるときには、はずれ表示結果となるときと比較して、「７」図柄が選択される割合が高いので、変動表示中に、「７」の数字の図柄によるリーチ図柄が表示された場合には、大当りとなる期待度（遊技者にとっての有利度）が、「７」図柄以外の数字の図柄によるリーチ図柄が表示された場合よりも高くなる。したがって、「７」図柄の数字の図柄によるリーチ図柄が表示された場合には、遊技者の大当りに対する期待感を盛上げることができる。なお、「７」図柄については、リーチ図柄が表示された場合に大当りとなる期待度が他の図柄よりも高いため、「７」図柄がリーチ図柄等として停止する前の低速変動中（たとえば、リーチとなるか否かを期待させる変動表示演出中）においても、装飾部を動作させる演出を実行するようにしてもよい。
【０１９６】
図１６は、演出制御プロセス処理における演出図柄変動開始処理（Ｓ８０１）を示すフローチャートである。演出図柄変動開始処理において、演出制御用ＣＰＵ１０１は、次のような処理を行なう。
【０１９７】
演出図柄変動開始処理においては、変動表示結果をはずれとすることに決定されているか否か確認する（Ｓ６０１）。はずれとすることに決定されているか否かは、たとえば、表示結果指定コマンド格納領域に表示結果１指定コマンドが格納されているか否かによって判定される。はずれとすることに決定されている場合には、変動パターンコマンドとして、非リーチ変動パターンに対応したコマンドを受信したか否か確認する（Ｓ６０２）。非リーチ変動パターンに対応したコマンドを受信したか否かは、たとえば、変動パターンコマンド格納領域に格納されているデータによって判定される。
【０１９８】
非リーチ変動パターンに対応したコマンドを受信したと判定した場合、現在が確変状態であるか否かを確認することにより高確率状態と低確率状態とのどちらであるかを確認して図１５（Ａ）または図１５（Ｂ）のはずれ図柄画像選択テーブルを選択し、選択したはずれ図柄画像選択テーブルを用いて、前述したような決定方法で、リーチにならないはずれの表示結果となる図柄の組合せを演出図柄の最終停止として決定し（Ｓ６０４）、Ｓ６１６へ進む。
【０１９９】
Ｓ６０２の処理で非リーチ変動パターンではないと判定した場合（リーチ変動パターンであると判定した場合）は、リーチ図柄の組合せを構成する演出図柄の停止図柄を決定し（Ｓ６０５）、Ｓ６１６へ進む。Ｓ６０５の処理では、所定のタイミングでＳＲ１−１〜ＳＲ１−３のそれぞれから数値データ（乱数）を抽出し、現在が確変状態であるか否かを確認することにより高確率状態と低確率状態とのどちらであるかを確認して図１５（Ａ）または図１５（Ｂ）のはずれ図柄画像選択テーブルを選択し、選択したはずれ図柄画像選択テーブルを用いて、前述したような決定方法で、リーチはずれの表示結果となる図柄の組合せを演出図柄の最終停止として決定する。
【０２００】
また、Ｓ６０１の処理ではずれとすることに決定されていない場合（大当りとすることが決定された場合）に（Ｓ６０１のＮ）、演出制御用ＣＰＵ１０１は、大当りの種別（確変大当り、通常大当り）に応じて、大当り図柄の組合せを構成する演出図柄の停止図柄を決定し（Ｓ６０３）、Ｓ６１６へ進む。
【０２０１】
Ｓ６０３では、次のように大当り図柄の組合せを決定する。所定のタイミングでＳＲ１−１〜ＳＲ１−３のそれぞれから数値データ（乱数）を抽出する。そして、表示結果２指定コマンドと表示結果３指定コマンドとのうちのどの表示結果指定コマンドが表示結果特定コマンド格納領域に格納されているかに基づいて、確変大当りと、通常大当りとのうちから、大当りの種別を判定する。さらに、現在が確変状態であるか否かを確認することに
より高確率状態と低確率状態とのどちらであるかを確認し、大当り確率の状態および大当りの種別に基づき、図１５（Ｃ）〜図１５（Ｆ）のいずれかの大当り図柄画像選択テーブルを選択し、選択した大当り図柄画像選択テーブルを用いて、前述したような決定方法で、大当りの表示結果となる図柄の組合せを演出図柄の最終停止として決定する。
【０２０２】
次に、変動表示における各種演出を設定するための処理（たとえば、演出図柄の変動表示の演出等（擬似連等の変動表示態様を含む）の各種演出を設定する処理）を行なう演出設定処理（Ｓ６１６）を実行した後、Ｓ６１７に進む。
【０２０３】
Ｓ６１７では、演出制御パターンを複数種類の演出制御パターンのうちのいずれかに決定する。Ｓ６１７においては、変動パターン指定コマンドによって指定された変動パターン、および、Ｓ６１６の処理で決定した演出の演出制御パターン等により指定された各種演出制御（演出動作）パターンに応じて、図柄変動制御パターンテーブルに格納されている複数種類の図柄変動制御パターンのうち、指定された各種演出動作パターンに対応するいずれかの演出制御パターンを使用パターンとして選択決定する。
【０２０４】
ＲＯＭ１０２に記憶されている制御パターンテーブルには、たとえば、演出図柄の変動が開始されてから最終停止図柄となる確定演出図柄が停止表示されるまでの期間における、演出表示装置９における演出図柄の変動表示動作、リーチ演出における演出表示動作、擬似連の演出による演出表示動作、および予告演出における演出表示動作という各種演出動作の制御内容を示すデータが、図柄変動制御パターンとして複数種類格納されている。
【０２０５】
また、各図柄変動制御パターンは、たとえば、演出制御プロセスタイマ設定値、演出制御プロセスタイマ判定値、演出表示制御データ、音声制御データ、ランプ制御データ、および、終了コードといった、演出図柄の変動表示に応じた各種の演出動作を制御するための制御データを含み、時系列的に、各種の演出制御の内容、および、演出制御の切替えタイミング等が設定されている。
【０２０６】
次いで、Ｓ６１７で選択した演出制御パターンに応じたプロセステーブルを選択する（Ｓ６１８）。そして、選択したプロセステーブルのプロセスデータ１におけるプロセスタイマ（演出設定プロセスタイマ）をスタートさせる（Ｓ６１９）。
【０２０７】
Ｓ６１９の処理を実行したら、プロセスデータ１の内容（表示制御実行データ１、ランプ制御実行データ１、音番号データ１）に従って演出装置（演出表示装置９、各種ランプ、および、スピーカ２７等）の制御を開始する（Ｓ６２０）。たとえば、表示制御実行データに従って、演出表示装置９において変動パターンに応じた画像（演出図柄を含む。）を表示させるために、ＶＤＰ１０９に指令を出力する。各種ＬＥＤ等の発光体を点灯／消灯制御を行なわせるために、ランプドライバ基板３５に対して制御信号（ランプ制御実行データ）を出力する。また、スピーカ２７から音声出力をさせるために、音声出力基板７０に制御信号（音番号データ）を出力する。
【０２０８】
そして、変動表示時間タイマに、変動パターンコマンドで特定される変動時間に相当する値を設定し（Ｓ６２１）、演出制御プロセスフラグの値を演出図柄変動中処理（Ｓ８０２）に対応した値にし、演出図柄変動開始処理を実行する（Ｓ６２２）。
【０２０９】
次に、本実施の形態で実行される各種演出について説明する。本実施の形態では、変動表示中に各種の演出が実行される。演出制御用ＣＰＵ１０１は、Ｓ６１６の演出設定処理において、変動表示中に実行される各種演出の内容を決定する。以下においては、数字部と装飾部とを含む演出図柄の変動表示における変動停止時の演出制御例のバリエーションを複数種類説明する。以下に説明する変動停止時の演出制御は、パチンコ遊技機１におい
て、いずれか１つの演出制御を実行可能としてもよく、いずれか複数の演出制御を遊技状況（大当り確率の高低の状況等）または演出状況（演出モードの状況等）に応じて、選択して実行可能としてもよい。
【０２１０】
〔第１停止時演出制御例（数字部が装飾部よりも長期間停止時動作をする例）〕
まず、演出図柄において数字部が装飾部よりも長期間停止時動作をする第１停止時演出制御例を説明する。図１７は、第１停止時演出制御例を示す演出表示装置９の表示画面図である。図１７においては、（Ａ）〜（Ｄ）に第１停止時演出制御において演出表示装置９に表示される画像が時間経過に応じて示されている。図１７においては、保留表示エリアでの保留記憶の画像等、第１停止時演出制御の説明に不要な画像は、適宜省略されている。
【０２１１】
図１７（Ａ）等に示すような左，中，右の演出図柄９１０，９２０，９３０は、図１７（Ｂ）等に示すように、それぞれ左，中，右の図柄表示領域９１，９２，９３で変動表示される。図１７において、演出図柄９１０，９２０，９３０の変動表示中の状態は、図１７（Ｂ）等に示すように下向き矢印で示されている。
【０２１２】
図１７（Ａ）のように、左，中，右の演出図柄９１０，９２０，９３０は、それぞれ図１５に示す「０」〜「９」の数字よりなる数字部９１１，９２１，９３１（以下、数字部９１１等と略称する場合がある）の画像と、対応関係があるＡキャラクタ〜Ｉキャラクタよりなる装飾部９１２，９２２，９３２（以下、装飾部９１２等と略称する場合がある）の画像とが含まれる。数字部９１１等は、四角形状の枠内に対応する数字が示されることにより、数字図柄の種類が識別可能とされている。装飾部９１２等は、頭部にＡ〜Ｉの英文字が示されることにより、キャラクタ種類が識別可能とされている。
【０２１３】
各演出図柄９１０，９２０，９３０は、数字部９１１等と装飾部９１２等とが一体化された態様で表示される。変動表示の開始時において、演出図柄９１０，９２０，９３０の各々は、図１７（Ａ）のように、数字部９１１等は変化しないが、装飾部９１２等が所定の変動開始時ポーズをとる動作をした後、数字部９１１等および装飾部９１２等が一体となった表示態様で、図１７（Ｂ）のように、スクロール等の所定の変動表示パターンで変動表示される。図１７（Ｂ）のような変動表示中においては、左，中，右の演出図柄９１０，９２０，９３０のそれぞれが、図１７（Ａ）と同様に数字部と装飾部とを備えた態様で半透明化された状態（透過度が高くされた状態）で示されてスクロール表示される。なお、変動開始時ポーズは、装飾部のキャラクタごとに異なるようにしてもよく、装飾部として表示する全キャラクタで同じとなるようにしてもよい。
【０２１４】
図１７では図示を省略しているが、演出図柄９１０，９２０，９３０の変動表示中においては、画面隅部のような演出の邪魔にならないような位置において、「左，中，右の演出図柄９１０，９２０，９３０」のそれぞれの数字部に対応し、対応する演出図柄と同じ数字を、演出図よりも小さい図柄で示す左，中，右の小図柄が常に変動表示される。小図柄は、数字部のみにより構成される。このような小図柄は、変動表示が終了して表示結果が確定するときにのみ停止表示され、対応する演出図柄９１０，９２０，９３０と同じ数字の図柄が停止表示される。
【０２１５】
図１７（Ｃ）には、左，右の演出図柄９１０，９３０が停止（仮停止）した状態が示されている。そして、左，右の演出図柄９１０，９３０の停止時から、図１７（Ｄ）に示すように、数字部９１１等および装飾部９１２等により、予め定められた停止時動作態様による停止時動作が開始される。停止時動作については、数字部９１１等が全図柄で共通の動作態様である揺れ動作を実行する。これにより、演出図柄においてどの部分が数字部であるかを、複数種類の演出図柄で容易に認識可能とすることができる。また、図１５で説
明したように。演出図柄は、低確率状態と高確率状態とのような遊技状態の種類に応じて演出図柄の構成が異なるようになるが、数字部９１１等が遊技状態の種類によらず、全図柄で共通の揺れ動作を実行するので、遊技状態の種類と演出図柄の態様との対応関係をわかりやすく示すことができる。そして、装飾部９１２等の停止時動作は、図１５に示すようなキャラクタごとに異なる動作態様である停止時ポーズをとる動作である。
【０２１６】
図１７（Ｄ）の破線矢印に示すように、数字部９１１等が装飾部９１２等よりも長期間停止時動作をする。停止時動作において、装飾部９１２等は、所定期間中において停止時ポーズをとって停止する動作を１回だけ実行した後、変動表示が終了するまで停止状態を継続する。停止時ポーズをとって停止する動作は、図中では同じ破線矢印で示されているが、前述したように演出図柄の装飾部の種類により異なる。一方、停止時動作において、数字部９１１等は、変動表示が終了するまで揺れ動作を繰返し実行する。また、高確率状態において数字部９１１等のみからなる演出図柄を変動表示する場合には、数字部について、低確率状態において数字部９１１等と装飾部９１２等とからなる演出図柄を変動表示する場合における数字部９１１等と同じ停止時動作が実行される。
【０２１７】
なお、装飾部の停止時ポーズは、全キャラクタで同じポーズとなるようにしてもよい。また、装飾部は、停止時ポーズをとった後、数字部よりも短い期間だけ揺れ動作を実行してもよい。
【０２１８】
図１８は、第１停止時演出制御における各演出図柄の数字部９１１等と装飾部９１２等との表示態様を比較して示すタイミングチャートである。図１８（Ａ）に数字部９１１等の表示態様が示され、図１８（Ｂ）に装飾部９１２等の表示態様が示されている。
【０２１９】
図１８を参照して、変動表示が実行されていないときの演出図柄は、数字部９１１等が前回の変動表示の停止図柄で停止中であり、装飾部９１２等が前回の変動表示の停止時にとった停止ポーズで停止中である。変動表示の開始時には、図１７（Ａ）のように、数字部９１１等は変化しないが、装飾部９１２等が所定期間継続して変動開始時ポーズをとる動作をした後、数字部９１１等と装飾部９１２等とが一体化された演出図柄がスクロール変動による変動表示を開始する。
【０２２０】
図１８を参照して、変動表示が実行されていないときは、数字部９１１等が前回の変動表示の停止図柄で停止中であり、装飾部９１２等が前回の変動表示の停止時にとった停止ポーズで停止中である。変動表示の開始時には、図１７（Ａ）のように、数字部は変化しないが、装飾部９１２等が所定期間継続して変動開始時ポーズをとった後、図１７（Ｂ）のように、数字部９１１等と装飾部９１２等とが一体化された演出図柄がスクロール変動による変動表示を開始する。
【０２２１】
そして、図１７（Ｃ）のように、変動表示の開始時からの経過時間に応じて、左，中，右の演出図柄９１０，９２０，９３０が順次停止していき、その停止時において、図１７（Ｃ），（Ｄ）のように、数字部９１１等および装飾部９１２等が停止時動作（停止時図柄動作、停止時装飾動作）の実行を開始する。数字部９１１等の停止時図柄動作としては、図１７（Ｄ）のように、停止時図柄で数字部９１１等が仮停止後、揺れ動作を変動表示の終了時まで繰返す動作を実行する。一方、装飾部９１２等の停止時装飾動作としては、所定期間中において、図１７（Ｄ）のようにキャラクタが停止ポーズをとる停止時装飾動作を１回実行した後、停止時ポーズでの停止状態（仮停止状態）を変動表示の終了時まで継続する表示を実行する。
【０２２２】
このような第１停止時演出制御例においては、数字部９１１等の停止時動作が、装飾部９１２等の停止時動作よりも長い期間中に行なわれる。これにより、変動表示の停止時に
おいて、演出図柄における数字部９１１等に遊技者を注目させることができる。また、数字部９１１等の停止時動作が、装飾部９１２等の停止時動作よりも動作回数が多いことにより、演出図柄における数字部９１１等に遊技者を注目させることができる。
【０２２３】
また、図１７（Ｄ）のような停止時動作において、たとえば、数字部９１１等に「７」が示された「７」図柄のような大当りとなる期待度が他の演出図柄よりも高い図柄が表示された場合には、より一層演出図柄に遊技者を注目させることができ、これにより、演出図柄における数字部９１１等に遊技者を一層注目させることができる。
【０２２４】
〔停止時動作の演出制限制御例〕
次に、停止時動作の演出制限制御例を説明する。図１９は、停止時動作の演出制限制御例を示す図である。図１９においては、リーチ状態のように、複数の図柄表示領域９１，９２，９３のうち、少なくとも１の図柄表示領域９１，９３で演出図柄が停止し、他の１の図柄表示領域で演出図柄の変動表示が行なわれている期間において、数字部９１１等の停止時図柄動作を実行しないように制限する演出制限制御が行なわれている状態が示されている。
【０２２５】
このような演出制限制御は、図１６のＳ６１６の演出設定処理において、実行する変動パターンに基づいて、リーチ状態となるか否かを判断し、リーチ状態となると判断したときには、リーチ状態において、前述したリーチ図柄について停止時図柄動作（揺れ動作）を実行しないように演出設定をすることにより実現される。また、図１６のようなリーチ状態においては、リーチ図柄を重なって所定のエフェクト画像が発生する表示を行なう演出パターンを実行する場合があり、そのようなエフェクト画像が発生する表示を行なうときには、同時に装飾部９１２等を特定態様で動作させることにより、演出を盛り上げることができる。
【０２２６】
なお、このような停止時動作の演出制限制御は、数字部９１１等の停止時図柄動作ではなく、装飾部９１２等の停止時装飾動作を対象として実行してもよい。つまり、停止時動作の演出制限制御は、数字部９１１等の停止時図柄動作、または、装飾部９１２等の停止時装飾動作を対象として実行すればよい。
【０２２７】
このような構成によれば、複数の図柄表示領域９１，９２，９３のうち、少なくとも１の図柄表示領域９１，９３で演出図柄が停止し、他の１の図柄表示領域で演出図柄の変動表示が行なわれている期間において、数字部９１１等の停止時図柄動作（揺れ動作）、または、数字部９１１等の停止時図柄動作（揺れ動作）を実行しないように演出が制限されるので、変動表示が行なわれていない演出図柄の態様により、まだ演出図柄の変動表示が行なわれている状態であることをわかりやすく示すことができる。
【０２２８】
なお、このような停止時動作の演出制限制御は、数字部９１１等の停止時図柄動作と、装飾部９１２等の停止時装飾動作との両方を対象として実行してもよい。
【０２２９】
また、前述した第１停止時演出制御では、後述する図２２に示すような演出図柄種類による動作量制御と同様の演出制御を実行してもよい。また、前述した第１停止時演出制御では、後述する図２３に示すような特殊図柄による動作量制御と同様の演出制御を実行してもよい。
【０２３０】
〔第２停止時演出制御例（数字部が装飾部よりも短期間停止時動作をする例）〕
次に、演出図柄において数字部が装飾部よりも短期間停止時動作をする第２停止時演出制御例を説明する。図２０は、第２停止時演出制御例を示す演出表示装置９の表示画面図である。図２０においては、（Ａ）〜（Ｄ）に第２停止時演出制御において演出表示装置
９に表示される画像が時間経過に応じて示されている。図２０においては、保留表示エリアでの保留記憶の画像等、第２停止時演出制御の説明に不要な画像は、適宜省略されている。
【０２３１】
第２停止時演出制御例においては、図２０（Ａ）のように、左，中，右の演出図柄９１０，９２０，９３０の構成が、第１停止時演出制御例と同様であり、図２０（Ａ）〜（Ｃ）のように、変動表示開始時から、左，右の演出図柄９１０，９３０の停止（仮停止）時までは、第１停止時演出制御例と同様の演出制御が実行される。また、第２停止時演出制御においては、第１停止時演出制御と同様に前述した小図柄が変動表示される。
【０２３２】
そして、左，右の演出図柄９１０，９３０の停止時から、図２０（Ｄ）に示すように、数字部９１１等および装飾部９１２等により、予め定められた停止時動作態様による停止時動作が開始される。停止時動作については、数字部９１１等が全図柄で共通の動作態様である揺れ動作である。装飾部９１２等の停止時動作は、図１５に示すようなキャラクタごとに異なる動作態様である停止時ポーズをとる動作である。
【０２３３】
図２０（Ｄ）の破線矢印に示すように、第１停止時演出制御例とは逆に、数字部９１１等が装飾部９１２等よりも短期間停止時動作をする。停止時動作において、装飾部９１２等は、所定期間中において停止時ポーズをとって停止する動作を実行した後、変動表示が終了するまでの期間中に揺れ動作を繰返し実行する。一方、停止時動作において、数字部９１１等は、特定期間中において図柄を停止する停止時図柄動作を１回実行した後、変動表示が終了するまで停止状態（仮停止状態）を継続する。また、高確率状態において数字部９１１等のみからなる演出図柄を変動表示する場合には、数字部について、低確率状態において数字部９１１等と装飾部９１２等とからなる演出図柄を変動表示する場合における数字部９１１等と同じ停止時動作が実行される。
【０２３４】
なお、装飾部の停止時ポーズは、全キャラクタで同じポーズとなるようにしてもよい。また、装飾部は、停止時ポーズをとった後、数字部よりも短い期間だけ揺れ動作を実行してもよい。
【０２３５】
このような第２停止時演出制御例においては、数字部９１１等の停止時動作が、装飾部９１２等の停止時動作よりも短い期間中に行なわれる。これにより、変動表示の停止時において、演出図柄における数字部９１１等に遊技者を注目させることができる。また、数字部９１１等の停止時動作が、装飾部９１２等の停止時動作よりも動作回数が少ないことにより数字部９１１等の表示が見やすくなるので、演出図柄における数字部９１１等に遊技者を注目させることができる。
【０２３６】
図２１は、第２停止時演出制御における各演出図柄の数字部９１１等と装飾部９１２等との表示態様を比較して示すタイミングチャートである。図２１（Ａ）に数字部９１１等の表示態様が示され、図２１（Ｂ）に装飾部９１２等の表示態様が示されている。
【０２３７】
図２１のタイミングチャートは、変動開始時から停止時動作の開始時までが図１８のタイミングチャートと共通であり、図１８のタイミングチャートと異なるのが、以下の停止時動作である。
【０２３８】
図２１を参照して、数字部９１１等の停止時図柄動作としては、図２０（Ｄ）のように、特定期間中において、停止時図柄で数字部９１１等が仮停止後、揺れ動作を１回だけ実行する。一方、装飾部９１２等の停止時装飾動作としては、所定期間中において、図２０（Ｄ）のように、所定期間中において、キャラクタが停止ポーズをとる停止時装飾動作を１回実行した後、停止時ポーズでの揺れ動作を変動表示の終了時まで繰返す動作を実行す
る。装飾部９１２等が停止時ポーズをとって停止する動作は、図中では同じ破線矢印で示されているが、前述したように演出図柄の装飾部の種類により異なる。また、装飾部９１２等が停止時ポーズでの揺れ動作を変動表示の終了時まで繰返す動作は、図中では同じ破線矢印で示されているが、停止時ポーズ演出図柄の装飾部の種類により異なるため、装飾部の種類が異なる場合には動作態様が異なる。
【０２３９】
このような第２停止時演出制御例においては、変動表示の停止時動作として、演出図柄のうちの数字部９１１等を動作させる停止時図柄動作を実行することにより、遊技の興趣を向上させることができる。さらに、数字部９１１等の停止時動作が、装飾部９１２等の停止時動作よりも短い期間中に行なわれる。このような数字部９１１等と装飾部９１２等との停止時動作の違いに基づいて、数字部９１１等の視認性を確保することができる。
【０２４０】
〔第２停止時演出制御での演出図柄種類による動作量制御例〕
次に、第２停止時演出制御での停止時動作時の演出図柄種類による動作量制御例を説明する。図２２は、停止時動作時の演出図柄種類による動作量制御例を示す演出表示装置９の表示画面図である。
【０２４１】
図２２（Ａ）においては、確変大当り図柄を構成し得る奇数の数字部９１１を含む演出図柄９１０と、通常大当り図柄を構成し得る偶数の数字部９３１を含む演出図柄９３０とで、対応する装飾部９１２と装飾部９３２の停止時装飾動作量が異なる制御が実行される例が示されている。たとえば、図柄中の破線矢印に示すように、装飾部９１２の揺れ動作の動作幅の方が、装飾部９３２の揺れ動作の動作幅よりも大きくなるように、演出制御が実行される。なお、揺れ動作の動作幅の関係は、このような関係の逆であってもよい。
【０２４２】
このような演出制御は、図１６のＳ６１６の演出設定処理において、変動表示結果として停止表示する演出図柄の種類を確認し、演出図柄が奇数の数字部を含むか偶数の数字部を含むかにより、停止時装飾動作時の装飾部の動作量が、演出図柄の種類により異なるように演出設定をすることにより実現される。
【０２４３】
このような演出制御を行なえば、複数種類の演出図柄のうち、奇数の図柄のような第１の演出図柄と偶数の図柄のような第２の演出図柄とで数字部に対応する装飾部の停止時装飾動作量が異なることにより、数字部に対応する装飾部の演出のバリエーションが豊富化でき、さらに、装飾部の停止時装飾動作量に基づいて、装飾部と数字部との対応関係の認識を容易化することができる。
【０２４４】
図２２（Ｂ）においては、前述したようにリーチ図柄として表示された場合に大当りとなる期待度が、その他の図柄よりも大きい図柄である「７」図柄の数字部を含む演出図柄と、「７」図柄以外の数字の数字部を含む演出図柄とで、対応する装飾部の停止時装飾動作量が異なる制御が実行される例が示されている。たとえば、図２２（Ｂ）と図２２（Ａ）とを比較して、図柄中の破線矢印に示すように、図２２（Ｂ）に示す「７」図柄の数字部を含む演出図柄の方が、図２２（Ａ）に示す「７」図柄以外の数字部を含む演出図柄よりも装飾部の揺れ動作の動作幅が大きくなるように、演出制御が実行される。
【０２４５】
このような演出制御は、図１６のＳ６１６の演出設定処理において、変動表示結果として停止表示する演出図柄の種類を確認し、演出図柄が「７」図柄の数字部を含むか「７」図柄以外の数字部を含むかにより、停止時装飾動作時の装飾部の動作量が異なるように演出設定をすることにより実現される。
【０２４６】
このような演出制御を行なえば、「７」図柄の数字部を含む演出図柄というような特定の有利度の演出図柄が、それ以外の数字部を含む演出図柄と比べて、装飾部の停止時装飾
動作量が多くなるので、遊技者に高揚感を与えることができる。
【０２４７】
なお、「７」図柄の数字部を含む演出図柄というような特定の有利度の演出図柄が、それ以外の数字部を含む演出図柄と比べて、装飾部の停止時装飾動作量が多くなる演出としては、「７」図柄の数字部を含む演出図柄がリーチ状態になったときに、特別なエフェクト画像を「７」図柄の数字部を含む演出図柄に伴って表示する等、エフェクト画像を付加した演出図柄の演出画像の動作量が他の種類の演出図柄よりも多くなるようにしてもよい。また、演出図柄種類による動作量制御例としては、たとえば、確変大当り図柄を装飾部と数字部との組合せで構成する一方、通常大当り図柄を数字部のみで構成する等（その逆の構成でもよい）、必然的に確変大当り図柄のような特定の図柄が、その他の図柄よりも目立つようにして、演出を際立たせるようにしてもよい。
【０２４８】
〔特殊図柄による動作量制御例〕
次に、特殊図柄による動作量制御例を説明する。図２３は、特殊図柄による動作量制御例を示す演出表示装置９の表示画面図である。パチンコ遊技機１では、演出図柄、および、第１，第２特別図柄のそれぞれの変動表示が開始されてから表示結果が導出表示されるまで、演出表示装置９において、所定の演出態様としての擬似連と呼ばれる演出（以下、擬似連演出と称する）が実行される場合がある。擬似連とは、本来は１つの保留記憶に対応する１回の変動であるものを、複数の保留記憶に対応する複数回の変動が連続して行なわれているように見せる演出表示である擬似連続変動を示す略語である。このような擬似連演出が実行されるときには、擬似連図柄と呼ばれる特殊図柄が仮停止された後に再変動表示を実行することが繰返されることにより、複数回の変動が連動じて行なわれているように見せる演出が実行される。この例では、特殊図柄の一例として擬似連図柄を用いる場合において、停止時動作の動作量を制御する例を説明する。
【０２４９】
図２３においては、（Ａ）〜（Ｃ）に特殊図柄による動作量制御が実行されるときに演出表示装置９に表示される画像が時間経過に応じて示されている。図２３（Ａ）のように、左の演出図柄９１０と、右の演出図柄９３０とが仮停止した後、中図柄表示領域に「ＮＥＸＴ」という文字が記載された特殊図柄である擬似連図柄９２３が仮停止されると、図２３（Ｂ）のように、擬似連図柄９２３が、ゆらゆらする揺れ動作をした後に、拡大する動作をしながらフェードアウトする演出が行なわれる。その場合の擬似連図柄９２３の動作量は、他の数字部および装飾部を有する他の演出図柄の動作量よりも多い。図２３（Ｂ）のように擬似連図柄９２３が消去された後、擬似連の再変動表示が実行される。擬似連図柄９２３は、通常の変動表示時に変動表示される「１」〜「９」の演出図柄以外の図柄として表示される特殊図柄である。
【０２５０】
このような演出制御は、図１６のＳ６１６の演出設定処理において、擬似連演出を実行する決定がされているか否かを確認し、擬似連演出を実行する決定がされている場合に、図２３に示すような特殊図柄による動作量制御を実行する演出設定をすることにより実現される。
【０２５１】
このような演出制御を行なえば、擬似連図柄９２３のような特殊図柄が表示されたときに、遊技者にアピールすることができる。
【０２５２】
なお、特殊図柄による動作量制御に用いる特殊図柄としては、たとえば、保留表示の表示態様を変化させるときに表示される特殊図柄である保留変化図柄等のその他の特殊図柄を表示するときに、停止時動作の動作量を制御する例を前述のように制御してもよい。また、特殊図柄による動作量制御に用いる特殊図柄は、通常の変動表示時に変動表示される図柄以外の図柄として表示されるようにしてもよく、通常の変動表示時に変動表示される図柄として表示されるようにしてもよい。
【０２５３】
また、第２停止時演出制御では、図２２（Ｂ）に示すリーチ状態での演出図柄種類による動作量制御を実行せずに、図１９に示すリーチ状態での停止時動作の演出制限制御を実行してもよい。
【０２５４】
〔第３停止時演出制御例（停止時動作で数字部と装飾部との動作量が異なる例）〕
次に、停止時動作をする演出図柄において数字部と装飾部との動作量が異なる第３停止時演出制御例を説明する。図２４は、第３停止時演出制御例を示す演出表示装置９の表示画面図である。図２４においては、（Ａ）〜（Ｄ）に第３停止時演出制御において演出表示装置９に表示される画像が時間経過に応じて示されている。図２４においては、保留表示エリアでの保留記憶の画像等、第３停止時演出制御の説明に不要な画像は、適宜省略されている。
【０２５５】
第３停止時演出制御例においては、図２４（Ａ）のように、左，中，右の演出図柄９１０，９２０，９３０の構成が、第１停止時演出制御例と同様であり、図２４（Ａ）〜（Ｃ）のように、変動表示開始時から、左，右の演出図柄９１０，９３０の停止（仮停止）時までは、第１停止時演出制御例と同様の演出制御が実行される。また、第３停止時演出制御においては、第１停止時演出制御と同様に前述した小図柄が変動表示される。
【０２５６】
そして、左，右の演出図柄９１０，９３０の停止時から、図２４（Ｄ）に示すように、数字部９１１等および装飾部９１２等により、予め定められた停止時動作態様による停止時動作が開始される。停止時動作については、数字部９１１等が全図柄で共通の動作態様である揺れ動作である。装飾部９１２等の停止時動作は、図１５に示すようなキャラクタごとに異なる動作態様である停止時ポーズをとる動作である。
【０２５７】
図２４（Ｄ）の破線矢印に示すように、第１停止時演出制御例および第２停止時演出制御例とは異なり、数字部９１１等と装飾部９１２等とが同期間中に停止時動作をする。停止時動作において、装飾部９１２等は、所定期間中において停止時ポーズをとって停止する動作を１回実行した後、変動表示が終了するまで停止時ポーズでの揺れ動作を繰返し実行する。また、装飾部９１２等が停止時ポーズでの揺れ動作を変動表示の終了時まで繰返す動作は、図中では同じ破線矢印で示されているが、停止時ポーズが演出図柄の装飾部の種類により異なるため、装飾部の種類が異なる場合には動作態様が異なる。一方、停止時動作において、数字部９１１等は、特定期間中において図柄を停止する停止時図柄動作を１回実行した後、変動表示が終了するまで揺れ動作を繰返し実行する。
【０２５８】
数字部９１１等と装飾部９１２等とは、図２４（Ｄ）の破線矢印に示すように、停止時動作における揺れ動作の動作量（揺れ動作幅）が異なる。たとえば、数字部９１１等よりも装飾部９１２等の方が動作量が大きい。
【０２５９】
なお、停止時動作における揺れ動作の動作量は、装飾部９１２等よりも数字部９１１等の方が動作量が大きくなるようにしてもよい。また、装飾部の停止時ポーズは、全キャラクタで同じポーズとなるようにしてもよい。また、装飾部は、停止時ポーズをとった後、数字部よりも短い期間だけ揺れ動作を実行してもよい。
【０２６０】
このような第３停止時演出制御例においては、変動表示の停止時動作として、演出図柄のうちの数字部９１１等を動作させる停止時図柄動作を実行することにより、遊技の興趣を向上させることができる。さらに、停止時動作における揺れ動作の動作量が装飾部９１２等と数字部９１１等とで異なる。これにより、数字部９１１等と装飾部９１２等とが同化したような表示態様とならず、数字部９１１等の視認性を確保することができる。
【０２６１】
図２５は、第３停止時演出制御における各演出図柄の数字部９１１等と装飾部９１２等との表示態様を比較して示すタイミングチャートである。図２５（Ａ）に数字部９１１等の表示態様が示され、図２５（Ｂ）に装飾部９１２等の表示態様が示されている。
【０２６２】
図２５のタイミングチャートは、変動開始時から停止時動作の開始時までが図１８のタイミングチャートと共通であり、図１８のタイミングチャートと異なるのが、以下の停止時動作である。
【０２６３】
図２５を参照して、数字部９１１等の停止時図柄動作としては、図２４（Ｄ）のように、特定期間中において、停止時図柄で数字部９１１等が仮停止後、揺れ動作を変動表示の終了時まで繰返す動作を実行する。一方、装飾部９１２等の停止時装飾動作としては、所定期間中において、図２４（Ｄ）のように、所定期間中において、キャラクタが停止ポーズをとる停止時装飾動作を１回実行した後、停止時ポーズでの揺れ動作を変動表示の終了時まで繰返す動作を実行する。また、高確率状態において数字部９１１等のみからなる演出図柄を変動表示する場合には、数字部について、低確率状態において数字部９１１等と装飾部９１２等とからなる演出図柄を変動表示する場合における数字部９１１等と同じ停止時動作が実行される。
【０２６４】
このような第３停止時演出制御例においては、変動表示の停止時動作として、演出図柄のうちの数字部９１１等を動作させる停止時図柄動作を実行することにより、遊技の興趣を向上させることができる。さらに、数字部９１１等の停止時動作が、装飾部９１２等の停止時動作よりも短い期間中に行なわれる。このような数字部９１１等と装飾部９１２等との停止時動作の違いに基づいて、数字部９１１等の視認性を確保することができる。
【０２６５】
このような構成によれば、識別情報部を動作させることにより、遊技の興趣を向上させることができる。さらに、停止時動作における数字部９１１等の揺れ動作と、装飾部９１２等の揺れ動作とで動作量が異なることにより、数字部と装飾部とが同化せず、数字部の視認性を確保することができる。
【０２６６】
〔第３停止時演出制御での演出図柄種類による動作量制御例〕
次に、第３停止時演出制御での停止時動作時の演出図柄種類による動作量制御例を説明する。図２６は、停止時動作時の演出図柄種類による動作量制御例を示す演出表示装置９の表示画面図である。
【０２６７】
図２６（Ａ）においては、確変大当り図柄を構成し得る奇数の数字部９１１を含む演出図柄９１０と、通常大当り図柄を構成し得る偶数の数字部９３１を含む演出図柄９３０とで、対応する装飾部９１２と装飾部９３２の停止時装飾動作量が異なる制御が実行される例が示されている。たとえば、図柄中の破線矢印に示すように、装飾部９１２の揺れ動作の動作幅の方が、装飾部９３２の揺れ動作の動作幅よりも大きくなるように、演出制御が実行される。なお、揺れ動作の動作幅の関係は、このような関係の逆であってもよい。
【０２６８】
このような演出制御は、図１６のＳ６１６の演出設定処理において、変動表示結果として停止表示する演出図柄の種類を確認し、演出図柄が奇数の数字部を含むか偶数の数字部を含むかにより、停止時装飾動作時の装飾部の動作量が、演出図柄の種類により異なるように演出設定をすることにより実現される。
【０２６９】
このような演出制御を行なえば、複数種類の演出図柄のうち、奇数の図柄のような第１の演出図柄と偶数の図柄のような第２の演出図柄とで数字部に対応する装飾部の停止時装飾動作量が異なることにより、数字部に対応する装飾部の演出のバリエーションが豊富化でき、さらに、装飾部の停止時装飾動作量に基づいて、装飾部と数字部との対応関係の認
識を容易化することができる。
【０２７０】
図２６（Ｂ）においては、前述したようにリーチ図柄として表示された場合に大当りとなる期待度が、その他の図柄よりも大きい図柄である「７」図柄の数字部を含む演出図柄と、「７」図柄以外の数字の数字部を含む演出図柄とで、対応する装飾部の停止時装飾動作量が異なる制御が実行される例が示されている。たとえば、図２６（Ｂ）と図２６（Ａ）とを比較して、図柄中の破線矢印に示すように、図２６（Ｂ）に示す「７」図柄の数字部を含む演出図柄の方が、図２６（Ａ）に示す「７」図柄以外の数字部を含む演出図柄よりも装飾部の揺れ動作の動作幅が大きくなるように、演出制御が実行される。
【０２７１】
このような演出制御は、図１６のＳ６１６の演出設定処理において、変動表示結果として停止表示する演出図柄の種類を確認し、演出図柄が「７」図柄の数字部を含むか「７」図柄以外の数字部を含むかにより、停止時装飾動作時の装飾部の動作量が異なるように演出設定をすることにより実現される。
【０２７２】
このような演出制御を行なえば、「７」図柄の数字部を含む演出図柄というような特定の有利度の演出図柄が、それ以外の数字部を含む演出図柄と比べて、装飾部の停止時装飾動作量が多くなるので、遊技者に高揚感を与えることができる。
【０２７３】
なお、第３停止時演出制御では、図２３に示すような特殊図柄による動作量制御と同様の演出制御を実行してもよい。また、第３停止時演出制御では、図２６（Ｂ）に示すリーチ状態での演出図柄種類による動作量制御を実行せずに、図１９に示すリーチ状態での停止時動作の演出制限制御を実行してもよい。
【０２７４】
〔停止時演出制御での停止時装飾動作の選択演出制御例〕
次に、前述した第１〜第３停止時演出制御において、装飾部による停止時装飾動作を複数種類の動作パターンから実行する動作パターンを選択して実行する演出を行なう例を説明する。
【０２７５】
装飾部による停止時装飾動作を複数種類の動作パターンから選択して実行する演出を行なう場合は、演出制御用マイクロコンピュータ１００のＲＯＭ１０２において、装飾部による停止時装飾動作を実行する動作パターンを、複数種類の演出モードの種類のそれぞれに対応して複数種類記憶しておく。そして、停止時装飾動作を実行する場合には、図１６のＳ６１６の演出設定処理において、現在の演出モードを確認し、ＲＯＭ１０２に記憶された複数種類動作パターンのうちから、現在の演出モードに対応する動作パターンを選択決定し、決定した動作パターンで装飾部による停止時装飾動作を実行する演出設定をする。これにより、装飾部による停止時装飾動作を複数種類の動作パターンから選択して実行する演出が実現される。
【０２７６】
このような停止時装飾動作の選択演出制御を実行する場合に、演出を選択する対象となる図柄は、「０」〜「９」の全図柄でもよく、これらのうち一部の図柄でもよい。つまり、このような演出を実行する場合に、演出を選択する対象となる図柄は、少なくとも１つの図柄であればよい。
【０２７７】
このような停止時装飾動作の選択演出制御を実行すれば、少なくとも１の演出図柄について、装飾部の停止時装飾動作を複数種類の動作態様のうちから選択して実行可能であるので、演出の面白みが向上し、遊技の興趣を向上させることができる。
【０２７８】
なお、装飾部による停止時装飾動作を複数種類の動作パターンから選択して実行する演出に代えて、数字部による停止時図柄動作を複数種類の動作パターンから選択して実行す
る演出をするようにしてもよい。また、装飾部による停止時装飾動作と、数字部による停止時図柄動作とのそれぞれを複数種類の動作パターンから選択した動作パターンで実行する演出をするようにしてもよい。
【０２７９】
〔演出図柄の透過度を変化させる透過度変化演出〕
次に、演出図柄の透過度を変化させる透過度変化演出の演出制御例を実行する。以下に説明する。以下に示す透過度変化演出では、演出の一例として、大当りとなるか否かを予告する予告演出として、表示結果を構成する少なくとも１の演出図柄を所定の演出表示に重畳して表示し、重畳して表示した演出図柄を視認可能な透過度である第１態様から当該第１態様よりも透過度の低い第２態様へ変化させる演出をすることにより大当りとなるか否かを報知可能とする例を説明する。
【０２８０】
以下に説明する透過度変化演出は、数字部のみを有する演出図柄を透過可能とする演出例を説明するが、前述の第１停止時演出制御〜第３停止時演出制御等に透過度変化演出を適用する場合には、数字部と装飾部とを含む演出図柄が、透過可能な演出図柄として用いられる。
【０２８１】
次に、図２７および図２８を参照して、大当りとなるか否かを予告する予告演出としての特定演出が実行される場合の時間経過および特定演出が実行される場合の演出動作例について説明する。図２７は、特定演出が実行される場合におけるタイミングチャートを示している。具体的に、図２７（Ａ）は、成功演出の特定演出が実行される場合におけるタイミングチャートであり、図２７（Ｂ）は、失敗演出の特定演出が実行される場合におけるタイミングチャートである。なお、図２７および図２８に示す例では、スーパーリーチＡのスーパーリーチ演出が行なわれるものとする（すなわち、態様Ａの特定演出が行なわれるものとする）。
【０２８２】
次に、図２７および図２８を参照して、特定演出が実行される場合の時間経過および特定演出が実行される場合の演出動作例について説明する。図２７は、特定演出が実行される場合におけるタイミングチャートを示している。具体的に、図２７（Ａ）は、成功演出の特定演出が実行される場合におけるタイミングチャートであり、図２７（Ｂ）は、失敗演出の特定演出が実行される場合におけるタイミングチャートである。なお、図２７および図２８に示す例では、スーパーリーチＡのスーパーリーチ演出が行なわれるものとする（すなわち、態様Ａの特定演出が行なわれるものとする）。
【０２８３】
図２７（Ａ）および（Ｂ）に示すように、変動表示が開始（変動開始）されると、リーチ状態となり、スーパーリーチのリーチ演出が開示される。そして、特定演出期間となると、特定演出が開始され、まず図２８（Ａ）に示すように、扉画像ＣＨと態様Ａのキャラクタ画像ＣＨａが表示された後、図２８（Ｂ）に示すように、当該態様Ａのキャラクタ画像ＣＨａで示されるキャラクタが扉画像ＣＨを叩いて開けようとする動作が行なわれる。この場合のキャラクタについては、前述の第１停止時演出制御〜第３停止時演出制御等で示した演出図柄の装飾部で表示されるキャラクタとは異なるものである。これにより、達成すべき目標が、「扉を開ける」という目標であることを遊技者に報知する（図２７における目的報知）。なお、目的報知は、画像により行なわれるものに限られず、音声や文字により行なわれてもよい。また、これら複数の組合せにより行なわれてもよい。さらに、当該目的報知がどのような態様（画像、音声、文字またはその組合せなど）のいずれにより行なわれるかにより期待度が異なるようにしてもよい。また、図２８（Ａ）の状態において、リーチ状態を構成する左右の演出図柄を透過させてもよい。また、変動表示中であることが遊技者にとって認識可能となるように、当該左右の演出図柄を動作させてもよい（停止状態としなくてもよい）。また、画像表示装置５の隅の領域などにおいて、当該演出図柄よりも大きさの小さい図柄を表示して変動表示中であることを容易に認識可能とし
てもよい。
【０２８４】
このように、遊技者に達成すべき目標を報知した後、当該リーチ状態を構成する演出図柄を透過させ、図２８（Ｃ）に示すように、扉画像ＣＨと態様Ａのキャラクタ画像ＣＨａ（演出表示という）に重畳させて表示する。図示する例では、リーチ状態を構成する演出図柄が「５」であるため、中図柄としての「５」が演出表示に重畳して表示される。続いて、図２８（Ｄ）に示すように、態様Ａのキャラクタ画像ＣＨａで示されるキャラクタが扉画像ＣＨを叩いて開けようとする動作が行なわれるとともに、この動作に合わせて、重畳して表示した演出図柄も扉を叩く動作が行なわれる。このように、演出図柄越しに表示されている演出表示と同様の動作が行なわれるため、演出の内容を認識容易として遊技興趣を向上させることができる。なお、左右の演出図柄についても動作させてもよく、当該中図柄の動作と同様に動作させてもよい。また、中図柄とは異なる動作としてもよい。そして、図２８（Ｄ）に示す動作が繰り返し行なわれ、成功演出である場合（図２７（Ａ））には、図２８（Ｅ）に示すように、扉画像ＣＨにて示された扉が開放することで演出結果が成功演出であることを遊技者に報知するとともに、透過して表示されていた演出図柄が不透過となる。そして、変動表示結果として「大当り」であることが導出表示され、変動表示が終了する（変動停止する）。
【０２８５】
これに対し、図２８（Ｄ）に示す動作が繰り返し行なわれた後、失敗演出である場合（図２７（Ｂ））には、図２８（Ｆ）に示すように、重畳して表示されていた演出図柄が一旦不透過に表示される。そして、再度透過して表示され（図２７（Ｂ）の演出図柄再透過）、図２８（Ｇ）に示すように、演出結果として失敗演出であることが表示される（図２７（Ｂ）における演出結果報知）。図２８（Ｇ）に示す例では、重畳して表示されていた演出図柄が、当該演出表示の態様Ａのキャラクタ画像ＣＨａの移動方向とは反対方向に移動するとともに、当該態様Ａのキャラクタが倒れるように動作することで、扉が開放されないこと、すなわち、目標が達成されないことを示している。なお、図示する例では、表示されているキャラクタの態様（色）が変化する例を示しているが、変化しなくてもよい。その後、重畳して表示されていた演出図柄は、画面（画像表示装置５）から消去され、図２８（Ｈ）に示すように、リーチ状態を構成する図柄でない演出図柄が新たに表示され、変動表示結果として「はずれ」であることが導出表示され、変動表示が終了する（変動停止する）。なお、図示する例では、リーチ状態を構成する演出図柄が「５」のみである例を示しているが、例えば、「５」と「６」といったように2種類の演出図柄によりリーチ状態となるといったように、リーチ状態を構成する演出図柄が複数である所謂ダブルリーチ（３種類のトリプルリーチがあってもよい）といったリーチ演出があってもよい。この場合には、例えば、リーチ状態を構成する「５」の演出図柄を重畳させて失敗演出とした後、「６」を重畳させるようにしてもよい。これによれば、一旦失敗演出が実行された場合であっても遊技者の期待感を維持することができる。
【０２８６】
以上説明した透過度変化演出を含む特定演出によれば、以下の効果を奏することができる。
（１）演出制御用ＣＰＵ１０１は、演出図柄の変動表示状態がリーチ状態（より具体的にはスーパーリーチ）となった後に、変動表示結果が「大当り」となる可能性があることを報知する予告演出として、特定演出を実行する。具体的に、特定演出では、図２８（Ａ）および（Ｂ）に示すように、所定の演出表示を行なうとともに、リーチを構成する演出図柄を当該演出表示に重畳させて表示する。この際、図２８（Ｃ）に示すように、重畳させて表示する演出図柄越しに当該演出表示が視認可能となるよう、演出図柄を例えば透過させて表示する。その後、図２８（Ｅ）や図２８（Ｆ）または（Ｈ）に示すように、重畳して表示した演出図柄を不透過とし、変動表示結果が「大当り」となるか否かを報知する。これによれば、重畳して表示された画像同士の関連性を高め、遊技興趣を向上させることができる。なお、この特定演出では、透過させた状態で演出図柄を演出表示に重畳して表
示した後、重畳して表示した演出図柄を不透過とした状態で表示する例を示したが、一旦透過させた後、不透過となるまでに、透過と不透過を繰り返し、徐々に不透過の度合いが高くなるようにしてもよい。また、透過と不透過を繰り返さなくとも、徐々に不透過の度合いが高くなるようにしてもよい。
（２）また、演出制御用ＣＰＵ１０１は、図２８（Ｄ）に示すように、演出表示としてのキャラクタ画像ＣＨａで示されるキャラクタが扉画像ＣＨを叩いて開けようとする動作に合わせて、重畳して表示した演出図柄も扉を叩く動作を行なう。これによれば、所定の演出表示に関連した動作が行なわれるため、動作に対して認識容易となり遊技興趣を向上させることができる。また、演出表示に重畳して表示した演出図柄を透過させることで演出表示を視認可能となるものの、演出図柄の種類を認識可能な状態で表示する（例えば演出図柄の枠は透過させずに表示する）必要があり、いくら演出図柄を透過させていても煩わしく感じてしまうが、このような構成によれば、演出表示の動作に合わせて、重畳して表示された演出図柄も同じ動作を行なうため、一体化して認識することができ煩わしさを軽減させることができる。なお、上記透過度変化演出は、図２８（Ｄ）に示すように、重畳して表示した演出図柄が、演出表示としてのキャラクタと同じ動作を行なう例を示したが、例えば、キャラクタが上下左右に動作する場合に、上下の動作のみ行なう（左右の動作は行なわない）など、演出図柄の動作は、演出表示の一部の動作のみ同一であってもよい。また、演出表示が停止と動作を繰り返すような場合、演出図柄の動作は、演出表示の動作と異なる動作であってもよく、演出表示が動作していることを遊技者に認識させることができさえすれば（この場合には、停止と動作のタイミングさえ合っていればよい）、動作の態様は問わない。すなわち、所定の演出表示に関連した動作とは、演出表示と全て同一の動作の他、一部が同一の動作、また、動作していることを認識させる動作、を含む概念である。
（３）また、演出制御用ＣＰＵ１０１は、図２８（Ｄ）に示すように、演出表示としてのキャラクタ画像ＣＨａで示されるキャラクタが扉画像ＣＨを叩いて開けようとする動作に合わせて、重畳して表示した演出図柄も扉を叩く動作を行なう。すなわち、遊技者にとって手前側から奥側に移動して扉を叩くような動作が行なわれることから、重畳して表示された演出図柄の表示面積が変化する。これにより、上下左右だけでなく立体的な動作を行なうことで、動作表示についてのバリエーションを豊富にし、遊技興趣を向上させることができる。
（４）また、演出制御用ＣＰＵ１０１は、特定演出として所定の目的を達成する成功演出と、所定の目的を達成しない失敗演出と、のいずれかを実行可能であり、所定の演出表示を行なうとともに、当該表示を動作させることで、達成すべき所定の目的を遊技者に認識可能とした後（図２８（Ａ）に示すように、扉画像ＣＨとキャラクタ画像ＣＨａを表示し、図２８（Ｂ）に示すように、当該キャラクタが扉を開けようとする動作を行った後）、リーチを構成する演出図柄を当該演出表示に重畳させて表示する。これによれば、達成すべき目的を認識容易とすることができ、特定演出の意図を把握することが容易となる。
（５）また、演出制御用ＣＰＵ１０１は、失敗演出となった場合には、図２８（Ｇ）に示すように、重畳して表示されていた演出図柄が、当該演出表示の態様Ａのキャラクタ画像ＣＨａの移動方向とは反対方向に移動し、その後画面（画像表示装置５）から消去される。すなわち、通常の演出図柄の変動表示時において画面から消去される態様とは異なる態様で消去される。これによれば、遊技者にインパクトを与え遊技興趣を向上させることができる。
【０２８７】
上記透過度変化演出では、図２８（Ｃ）に示すように、演出表示としてのキャラクタ画像ＣＨａ全体に重畳するよう演出図柄を表示したが、これは一例である。演出表示の一部にさえ重畳すれば、全体を覆うように重畳しなくてもよい。これによれば、演出表示の内容の一部を視認容易とすることができ、演出内容を認識容易として遊技興趣を向上させることができる。
【０２８８】
上記特定演出では、重畳して表示する演出図柄の種類を、特定演出において表示される演出表示の態様に応じて異なる割合としてもよい。これによれば、重畳して表示された演出図柄の種類に応じて演出表示の態様が把握しやすくなり、遊技興趣を向上させることができる。
【０２８９】
また、上記特定演出では、成功演出を実行する場合、成功演出であることが遊技者に認識可能となったタイミングにおいて透過して表示した演出図柄を不透過とする例を示したが（図２７（Ａ）や図２８（Ｅ））、これは一例である。透過して表示した演出図柄を不透過とするタイミングは、変動表示の表示結果が導出表示されるタイミングであってもよい。これによれば、成功演出の場合も失敗演出の場合も、最終的に変動停止となる際に不透過となるため、特定演出における演出表示の内容を認識容易として遊技興趣を向上させることができる。なお、成功演出であるか失敗演出であるかの演出結果の報知のタイミングと、変動表示の表示結果が導出表示されるタイミングと、不透過となるタイミングの全てが一致していてもよい。
【０２９０】
また、上記透過度変化演出では、特定演出がリーチ状態となった後にリーチを構成する演出図柄を透過させ大当りとなるか否かを報知する予告演出である例を示したが、これは一例である。特定演出は、例えば、擬似連が行なわれることを示唆する表示（例えば「ＮＥＸＴ」の表示など）や、ステップアップ予告において次段階へステップアップすることを示唆する表示（例えば「ＵＰ」の表示など）を透過させ、擬似連やステップアップが行なわれるか否かを報知する演出であってもよい。この場合についても、上述した特定演出と同様に、まず演出表示を行ない（態様Ａ〜態様Ｃのいずれかの演出表示を行なえばよく、態様により成功演出となる割合が異なっていればよい）、当該示唆表示を演出表示に透過させた状態で重畳させて表示すればよい。そして、成功演出の場合には、示唆表示を不透過とした後、擬似連やステップアップが行なわれることを確定（報知）し、擬似連やステップアップが行なわれればよく、失敗演出の場合には、示唆表示を不透過とした後に再度透過させ、擬似連やステップアップが行なわれなければよい（そのまま特定演出を終了させればよい）。これによれば、重畳して表示された画像同士の関連性を高め、遊技興趣を向上させることができる。また、まず演出表示を行ってから示唆表示を演出表示に透過させた状態で重畳させて表示するため、遊技者に演出表示を認識容易とすることができ遊技興趣を向上させることができる。
【０２９１】
さらに、上記透過度変化演出では、特定演出において、重畳させて表示する演出図柄越しに当該演出表示が視認可能となるよう、演出図柄を透過させて表示する例を示したが、これは一例である。重畳させて表示する演出図柄を透過させなくとも、例えば、遊技者にとって奥側に表示された演出表示と同色となるように演出図柄を表示したり、演出図柄を演出表示に対して小さく表示したりするなど、演出表示が視認できるよう、当該重畳して表示する演出図柄の視認度合いを低めればよい。なお、擬似連やステップアップが行なわれるか否かを報知する場合についても同様である。
【０２９２】
また、上記特定演出では、スーパーリーチの種類に応じて特定演出において表示されるキャラクタ画像の態様が異なる例を示したが、これに加え、重畳して表示される演出図柄が透過するタイミングについても、表示されるキャラクタ画像の態様に応じて異なっていてもよい。また、透過と不透過を繰り返し行なうようなものであってもよく、その場合には、表示されるキャラクタ画像の態様に応じて繰り返しの速度が異なっていればよい。また、透過と不透過とで表示サイズが異なっているようなものでもよく、表示されるキャラクタ画像の態様に応じて不透過の表示サイズが異なっていてもよい。これによれば、演出表示の態様に合わせて演出図柄の視認度合いを変化させるため、遊技興趣を向上させることができる。
【０２９３】
また、上記特定演出において、例えば、態様Ｃのキャラクタ画像が表示された後（扉画像についても表示されるものとする）、態様Ａのキャラクタ画像に変化するといったように、演出表示の内容が期待度の高い態様へと変化する特定演出が実行されてもよい。これによれば、期待度の低い演出表示が行なわれた場合であっても、遊技者の期待感を持続させることができる。
【０２９４】
また、上記特定演出では、特定演出がスーパーリーチのリーチ演出期間内に行なわれる例を示したが、これは一例である。例えば、大当り遊技中など、スーパーリーチのリーチ演出期間以外に行なわれてもよい。具体的に、大当り遊技中に行なわれる場合には、例えば、大当り遊技中に演出図柄を変動表示させ、当該演出図柄の変動表示結果に応じて「非確変大当り」から「確変大当り」へと昇格する大当り中昇格演出において、特定演出を実行すればよい。これによれば、演出の幅が広がり遊技興趣を向上させることができる。
【０２９５】
次に、前述した実施の形態により得られる主な効果を説明する。
（１）  図１７および図１８等に示すように、第１停止時演出制御例においては、数字部９１１等の停止時動作が、装飾部９１２等の停止時動作よりも長い期間中に行なわれる。これにより、変動表示の停止時において、演出図柄における数字部９１１等に遊技者を注目させることができる。また、数字部９１１等の停止時動作が、装飾部９１２等の停止時動作よりも動作回数が多いことにより、演出図柄における数字部９１１等に遊技者を注目させることができる。
【０２９６】
（２）  たとえば図１７（Ｄ）のような停止時動作において、たとえば、数字部９１１等に「７」が示された「７」図柄のような大当りとなる期待度（有利度）が他の演出図柄よりも高い図柄が表示された場合には、より一層演出図柄に遊技者を注目させることができ、これにより、より一層演出図柄における数字部９１１等に遊技者を注目させることができる。
【０２９７】
（３）  図１７（Ｄ）等に示すように、停止時動作については、数字部９１１等が全図柄で共通の揺れ動作を実行する。これにより、演出図柄においてどの部分が数字部であるかを、複数種類の演出図柄で容易に認識可能とすることができる。
【０２９８】
（４）  図１５で説明したように。演出図柄は、低確率状態と高確率状態とのような遊技状態の種類に応じて演出図柄の構成が異なるようになるが、数字部９１１等が遊技状態の種類によらず、全図柄で共通の揺れ動作を実行するので、遊技状態の種類と演出図柄の態様との対応関係をわかりやすく示すことができる。
【０２９９】
（５）  図１９に示すように、複数の図柄表示領域９１，９２，９３のうち、少なくとも１の図柄表示領域９１，９３で演出図柄が停止し、他の１の図柄表示領域で演出図柄の変動表示が行なわれている期間において、数字部９１１等の停止時図柄動作（揺れ動作）、または、数字部９１１等の停止時図柄動作（揺れ動作）を実行しないように演出が制限される場合には、変動表示が行なわれていない演出図柄の態様により、まだ演出図柄の変動表示が行なわれている状態であることをわかりやすく示すことができる。
【０３００】
（６）  図２０および図２１に示すように、第２停止時演出制御例においては、変動表示の停止時動作として、演出図柄のうちの数字部９１１等を動作させる停止時図柄動作を実行することにより、遊技の興趣を向上させることができる。さらに、数字部９１１等の停止時動作が、装飾部９１２等の停止時動作よりも短い期間中に行なわれる。このような数字部９１１等と装飾部９１２等との停止時動作の違いに基づいて、数字部９１１等の視認性を確保することができる。また、数字部９１１等の停止時動作が、装飾部９１２等の停止時動作よりも動作回数が少ないことにより数字部９１１等の表示が見やすくなるので
、演出図柄における数字部９１１等に遊技者を注目させることができる。
【０３０１】
（７）  図２４および図２５に示すように、第３停止時演出制御例においては、変動表示の停止時動作として、演出図柄のうちの数字部９１１等を動作させる停止時図柄動作を実行することにより、遊技の興趣を向上させることができる。さらに、停止時動作における揺れ動作の動作量が装飾部９１２等と数字部９１１等とで異なる。これにより、数字部９１１等と装飾部９１２等とが同化したような表示態様とならず、数字部９１１等の視認性を確保することができる。
【０３０２】
（８）  図２２（Ａ）および図２６（Ａ）に示すように、複数種類の演出図柄のうち、奇数の図柄のような第１の演出図柄と偶数の図柄のような第２の演出図柄とで数字部に対応する装飾部の停止時装飾動作量が異なることにより、数字部に対応する装飾部の演出のバリエーションが豊富化でき、さらに、装飾部の停止時装飾動作量に基づいて、装飾部と数字部との対応関係の認識を容易化することができる。
【０３０３】
（９）  図２２（Ｂ）および図２６（Ｂ）に示すように、「７」の数字部を含む演出図柄というような特定の有利度の演出図柄が、それ以外の数字部を含む演出図柄と比べて、装飾部の停止時装飾動作量が多くなるので、遊技者に高揚感を与えることができる。
【０３０４】
（１０）  図２３のように、擬似連図柄９２３が、拡大する動作をした後にフェードアウトする演出が行なわれ、その動作量が他の演出図柄よりも多いので、擬似連９２３のような特殊図柄が表示されたときに、遊技者にアピールすることができる。
【０３０５】
（１１）  〔停止時演出制御での停止時装飾動作の選択演出制御例〕に示したように、停止時装飾動作の選択演出制御を実行すれば、少なくとも１の演出図柄について、装飾部の停止時装飾動作を複数種類の動作態様のうちから選択して実行可能であるので、演出の面白みが向上し、遊技の興趣を向上させることができる。
【０３０６】
（１２）  図２８に示すように、特定演出において重畳させて表示する演出図柄越しに演出表示が視認可能となるよう、演出図柄を透過させて表示した後、不透過とし、変動表示結果が「大当り」となるか否かを報知することにより、重畳して表示された画像同士の関連性を高め、遊技興趣を向上させることができる。
【０３０７】
次に、以上に説明した実施の形態の変形例や特徴点等を以下に列挙する。
（１）  前述した実施の形態では、演出図柄が、数字部と装飾部とにより構成される例を示した。しかし、これに限らず、演出図柄が、数字部および装飾部以外の背景模様部等のその他の画像を含んで構成されてもよい。
【０３０８】
（２）  前述した実施の形態では、図１７および図１８等に示すように、第１停止時演出制御例においては、数字部の停止時動作が、装飾部の停止時動作よりも長い期間中に行なわれる例を示した。数字部の停止時動作が、装飾部の停止時動作よりも長い期間中に行なわれる例としては、数字部の停止時動作の動作回数が、装飾部の停止時動作の動作回数よりも多いことにより数字部の停止時動作が、装飾部の停止時動作よりも長い期間中に行なわれる例も含まれる。
【０３０９】
（３）  前述した実施の形態では、図２０および図２１等に示すように、第２停止時演出制御例においては、数字部の停止時動作が、装飾部の停止時動作よりも短い期間中に行なわれる例を示した。数字部の停止時動作が、装飾部の停止時動作よりも短い期間中に行なわれる例としては、数字部の停止時動作の動作回数が、装飾部の停止時動作の動作回数よりも少ないことにより数字部の停止時動作が、装飾部の停止時動作よりも短い期間中に
行なわれる例も含まれる。
【０３１０】
（４）  第１停止時演出制御〜第３停止時演出制御においては、数字部および装飾部の停止時動作の実行期間は、停止時動作の繰り返し動作回数により設定されてもよい。また、第１停止時演出制御〜第３停止時演出制御において、変動表示の終了時まで継続される停止時動作は、変動表示の終了直前等の変動表示の終了前のタイミングで終了させてもよい。
【０３１１】
（５）  前述した実施の形態では、高確率状態において数字部９１１等のみからなる演出図柄を変動表示する場合には、数字部について、低確率状態と同じ停止時動作が実行される例を示したが、低確率状態と同じ動作態様で停止時動作を実行するが、その同じ動作態様には、動作量が低確率状態と異なるものが含まれてもよい。また、高確率状態において数字部９１１等のみからなる演出図柄を変動表示する場合には、数字部について、低確率状態と異なる動作態様で停止時動作が実行されるようにしてもよい。
【０３１２】
（６）  前述した実施の形態では、高確率状態と低確率状態とのように遊技状態が異なるときに、演出図柄の表示態様が異なる例（高確率状態では装飾部が表示されない例）を示したが、これに限らず、遊技状態が異なっても、演出図柄の表示態様が異ならない（同じとなる）ようにしてもよい。
【０３１３】
（７）  前述した実施の形態の演出図柄における数字部の停止時動作と、装飾部の停止時動作とは、異なる動作態様であってもよく、同じ動作態様であってもよい。
【０３１４】
（８）  前述した実施の形態の演出図柄における装飾部の停止時動作は、装飾部の種類によって異なる動作態様であってもよく、装飾部の種類によらず同じ動作態様であってもよい。また、数字部の停止時動作は、装飾部の種類によって異なる動作態様であってもよく、装飾部の種類によらず同じ動作態様であってもよい。
【０３１５】
（９）  第１停止時演出制御〜第３停止時演出制御においては、数字部および装飾部の停止時動作の動作態様を、遊技状態（たとえば低確率状態、高確率状態等の遊技状態）に応じて異ならせるようにしてもよい。また、第１停止時演出制御〜第３停止時演出制御においては、数字部および装飾部の変動開始時の動作態様を、遊技状態（たとえば低確率状態、高確率状態等の遊技状態）に応じて異ならせるようにしてもよい。
【０３１６】
（１０）  前述した停止時動作の演出制限制御は、リーチ状態に限らず、疑似連演出が実行されるときにおいて、疑似連の仮停止図柄となる図柄が停止する前の変動表示中の状態において、仮停止している演出図柄を対象として実行してもよい。
【０３１７】
（１１）  前述した演出図柄の変動開始時動作は、装飾部に限らず、数字部についても実行させるようにしてもよい。また、演出図柄の停止時動作は、変動開始時動作と同じ動作態様の動作を実行させてもよく、変動開始時動作と異なる動作態様の動作を実行させてもよい。また、演出図柄の停止時動作は、装飾部と数字部とのいずれか一方について変動開始時動作と同じ動作態様での動作を実行させてもよく、他方について変動開始時動作と異なる動作態様での動作を実行させてもよい。
【０３１８】
（１２）  前述した演出図柄の変動開始時動作は、装飾部に限らず、数字部についても実行させるようにしてもよい。また、演出図柄の停止時動作は、変動開始時動作と同じ動作態様の動作を実行させてもよく、変動開始時動作と異なる動作態様の動作を実行させてもよい。また、演出図柄の停止時動作は、装飾部と数字部とのいずれか一方について変動開始時動作と同じ動作態様での動作を実行させてもよく、他方について変動開始時動作と
異なる動作態様での動作を実行させてもよい。
【０３１９】
（１３）  前述した実施の形態では、遊技者にとって有利な有利状態として、大当り遊技状態を代表例として説明した。しかし、これに限らず、遊技者にとって有利な有利状態としては、高確率状態（確変状態）、時短状態、および、高ベース状態等のその他の有利状態が含まれてもよい。
【０３２０】
（１４）  本実施の形態として、入賞の発生に応じて遊技媒体を遊技者の手元に払い出す遊技機を説明したが、遊技媒体が封入され、入賞の発生に応じて遊技媒体を遊技者の手元に払い出すことなく遊技点（得点）を加算する封入式の遊技機を採用してもよい。封入式の遊技機には、遊技媒体の一例となる複数の玉を遊技機内で循環させる循環経路が形成されているとともに、遊技点を記憶する記憶部が設けられており、玉貸操作に応じて遊技点が記憶部に加算され、玉の発射操作に応じて遊技点が記憶部から減算され、入賞の発生に応じて遊技点が記憶部に加算されるものである。
【０３２１】
（１５）  前述した実施の形態では、「割合（比率、確率）」として、０％を越える所定の値を具体例に挙げて説明した。しかしながら、「割合（比率、確率）」としては、０％であってもよい。たとえば、所定の遊技期間における所定の遊技状態１の発生割合と他の遊技状態２との発生割合とを比較して、「一方の発生割合が他方の発生割合よりも高い」とした場合には、一方の遊技状態の発生割合が０％の場合も含んでいる。
【０３２２】
（１６）  前述した実施の形態では、変動表示の表示結果を確変大当りとすることが決定されたときの変動表示結果が導出表示された後、大当り遊技状態の終了後に、無条件で確変状態に制御される確変状態制御例を示した。しかし、これに限らず、特別可変入賞球装置２０における大入賞口内に設けられた特定領域を遊技球が通過したことが検出手段により検出されたときに、確変状態に制御される、確変判定装置タイプの確変状態制御が実行されるようにしてもよい。
【０３２３】
（１７）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【０３２４】
１  パチンコ遊技機、９１０  左図柄、９２０  中図柄、９３０  右図柄、１００  演出制御用マイクロコンピュータ、９１１，９２１，９３１  数字部、９１２，９２２，９３２  装飾部。
【図１】
2019037498.tif 000003
【図２】
2019037498.tif 000004
【図３】
2019037498.tif 000005
【図４】
2019037498.tif 000006
【図５】
2019037498.tif 000007
【図６】
2019037498.tif 000008
【図７】
2019037498.tif 000009
【図８】
2019037498.tif 000010
【図９】
2019037498.tif 000011
【図１０】
2019037498.tif 000012
【図１１】
2019037498.tif 000013
【図１２】
2019037498.tif 000014
【図１３】
2019037498.tif 000015
【図１４】
2019037498.tif 000016
【図１５】
2019037498.tif 000017
【図１６】
2019037498.tif 000018
【図１７】
2019037498.tif 000019
【図１８】
2019037498.tif 000020
【図１９】
2019037498.tif 000021
【図２０】
2019037498.tif 000022
【図２１】
2019037498.tif 000023
【図２２】
2019037498.tif 000024
【図２３】
2019037498.tif 000025
【図２４】
2019037498.tif 000026
【図２５】
2019037498.tif 000027
【図２６】
2019037498.tif 000028
【図２７】
2019037498.tif 000029
【図２８】
2019037498.tif 000030